(57)【特許請求の範囲】
【請求項１】
遊技を行うために必要な遊技用装置を収納するために、箱状に形成されるとともに、前面が開口された筐体と、この筐体の前面の開口を塞ぐ前扉と、前記前扉の前面において遊技者側に突出した膨出部には操作用のスイッチと、遊技媒体としてメダルが投入される投入口ユニットとが配置され、前記前扉の裏側において前記投入口ユニットより投入されたメダルを選別するセレクタを取付ブラケットを介して備える遊技機であって、
前記セレクタは、
少なくとも一対の平行な側面と、
該セレクタが前記取付ブラケットに取り付けられる際に位置決めを行うために前記一対の平行な側面から外向きに突出した位置決め突起と、を有し、
前記投入口ユニットは前記前扉の裏面方向に突出する位置決め凸部とネジ用孔とを有し、
前記取付ブラケットは、
前記投入口ユニットの前記位置決め凸部が挿入されて係合する位置決め孔と、
前記投入口ユニットの前記ネジ用孔と重なってネジが挿入される取付孔と、
前記取付ブラケットのセレクタ支持面から前記前扉の裏側方向に立設した板金部に設けられた前記セレクタの位置決め突起が入り込むための位置決め部と、を有し、
前記投入口ユニットを前記位置決め凸部が前記前扉の裏側に位置するように前記膨出部に配置した後、前記取付ブラケットを前記位置決め孔と前記位置決め凸部が係合するように前記前扉の裏面側より位置決めして取り付ける、ことを特徴とする遊技機。
【発明の詳細な説明】
【技術分野】
【０００１】
本発明は、遊技機に関する。
【背景技術】
【０００２】
従来から、遊技者に娯楽を提供する遊技機として、外周面に複数種類の図柄が記された複数の回転リールを備え、回転状態の回転リールを遊技者に停止させて図柄を揃えさせる遊技を行うスロットマシンが利用されている。このようなスロットマシンは、六面体の箱状に形成されるとともに、前面が開口された筐体と、この筐体の前面の開口を塞ぐ前扉とを備えたものとなっている。
【０００３】
そして、スロットマシンの筐体の内部には、前述の回転リールを有するリールユニット、遊技用のメダルを遊技者に払い出すためのホッパーユニット、並びに、リールユニット及びホッパーユニット等の動作を制御するための制御装置等が収納されている。また、スロットマシンの前扉には、遊技媒体としてのメダルが投入される投入口、並びに、回転リールの回転を開始させるために操作されるスタートスイッチ、及び、回転リールの回転を停止させるために操作されるストップスイッチ等の操作用のスイッチが設けられている。
【０００４】
ここで、スロットマシンの前扉としては、遊技場で古い機種から新しい機種への機種変更が、既存のスロットマシンの部品交換で行えるように、前扉を複数の部品に分割し、それらを個々に交換可能としたスロットマシンが知られている。すなわち、前扉は、上端からスタートスイッチ等が設けられた操作部までの部分を構成する上部マスクユニットと、この上部マスクユニットよりも下方の部分を構成する下部マスクユニットとの二つに分割されたものとなっている。これらの上部マスクユニット及び下部マスクユニットの両方の裏面には、長方形の枠状に形成されたベース枠体が接合されている。上部マスクユニット及び下部マスクユニットは、このベース枠体によって相互に連結されたものとなっている。
【０００５】
そして、上部マスクユニットには、スタートスイッチやストップスイッチ等のスイッチが取り付けられている前述の操作部に加えて、内部の回転リールを外部に見せるためのリール窓が設けられるとともに、前扉の裏側に設置される液晶表示装置の画面を外部に見せるための画面表示窓が形成された化粧枠体が取り付けられるようになっている。
【０００６】
下部マスクユニットには、スロットマシンの機種名入りのパネルが着脱可能に設けられているとともに、ホッパーユニットから払い出されるメダルを受ける受皿が形成されている。ベース枠体には、長方形状の両側に配置されているとともに上下方向に延びる一対の縦材の途中部分同士を連結する補強ステーが設けられている。
【０００７】
補強ステーは、裏側に設置される液晶表示装置の重さでベース枠体が変形しないように、ベース枠体の補強を行うものとなっている。具体的には、ベース枠体の裏側に液晶表示装置を設置するにあたり、液晶表示装置をベース枠体の上辺となる横材と補強ステーとの両方に跨らせ、この状態で液晶表示装置がベース枠体に取り付けられるようになっている。これにより、液晶表示装置の重量が補強ステーにも分散され、液晶表示装置の重さでベース枠体が変形することが未然に防止されるようになっている。
【０００８】
このようなスロットマシンによれば、新機種に変更するにあたり、上部マスクユニットの化粧枠体、及び、下部マスクユニットのパネルを新たなものに交換することで、前扉の外観を変更することができるうえ、それ以外の部品については、その再利用が図れるようになるので、新機種に要するコストの低減を図ることができるうえ、資源消費の低減も図ることができる（例えば、特許文献１参照）。
【先行技術文献】
【特許文献】
【０００９】
【特許文献１】特開２００９−１８３４０２号公報
【発明の概要】
【発明が解決しようとする課題】
【００１０】
前述のようなスロットマシンでは、前扉を構成する部品が交換を前提としているので、相互の接合がネジ等の棒状の接合具で行われるので、前扉の外観を大幅に変更可能とするために、前扉の構成部品の数を増やすと、棒状の接合具による接合箇所が増大する。この接合箇所の増大によって、スロットマシンの組立作業時間が長びき、これにより、部品の再利用によるコストの低減が充分に図れなくなる、という問題がある。
【００１１】
さらに、前扉の構成部品を増やすと、構成部品の間に形成される隙間が増え、このような隙間には、針金等の細長い器具が挿入可能となるので、部品点数の増加に起因して、針金等の細長い器具の挿入可能な箇所が増え、そのままでは、不正行為を防止する対策が不充分になる、という問題が生じる。
【００１２】
そこで、本願は、上記した従来の技術の有する問題点に鑑みてなされたものであり、その目的とするところは、高い不正防止効果を発揮することのできる遊技機を提供することである。
【課題を解決するための手段】
【００１３】
上記の課題を解決するために、本発明の例示的側面としての遊技機は、遊技を行うために必要な遊技用装置を収納するために、六面体の箱状に形成されるとともに、前面が開口された筐体と、この筐体の前面の開口を塞ぐ前扉とを備え、前扉の前面に操作用のスイッチが設けられ、且つ、遊技媒体としてメダルが投入される遊技機であって、前扉は、後方側に位置する金属フレームと、その金属フレームの前方に配置される樹脂フレームと、を有し、筐体には、筐体内部と筐体外部とを接続する配線を通過させる配線孔が、遊技媒体の通過を許容しない寸法で貫通形成され、前扉と筐体との開閉側端近傍のいずれか一方には、前扉と筐体との開閉を検出するドアセンサが配置されると共に、いずれか他方にはドアセンサの検出片を受ける受け面が配置され、受け面の周囲には、所定高さの周壁が立設形成されている。
【００１４】
本発明の更なる目的又はその他の特徴は、以下添付図面を参照して説明される好ましい実施の形態によって明らかにされるであろう。
【発明の効果】
【００１５】
本発明によれば、高い不正防止効果を得ることができる。
【図面の簡単な説明】
【００１６】
【図１】遊技機を右斜め上方から見た外観斜視図である。
【図２】遊技機を背面側から見た背面図である。
【図３】フロント枠をキャビネットに対して前方開放した状態を示す外観図である。
【図４】把手を説明するための説明図であって、（ａ）は遊技機の右側面図であり、（ｂ）は、把手の変形例を示す断面図である。
【図５】遊技機の内部構造を示す斜視図である。
【図６】ハーネスクランプの拡大図である。
【図７】遊技機のドアセンサ近傍を示す外観図である。
【図８】遊技機のキャビネットとフロント枠とを閉鎖した状態を示すドアセンサ近傍の断面図である。
【図９】フロント枠を背面側の斜め上方から見た斜視図である。
【図１０】遊技機のキャビネット内部に配置されるリール装置の分解斜視図である。
【図１１】リールの分解斜視図であって、リール全体を右斜め上方から見た図である。
【図１２】リールの分解斜視図であって、リールテープユニットを省略してリールを左斜め後方から見た図である。
【図１３】遊技機の補助金庫近傍を拡大して示す部分拡大図である。
【図１４】補助金庫を左斜め上方から見た斜視図である。
【図１５】遊技機のメイン基板（主制御基板）近傍を拡大して示す部分拡大図である。
【図１６】メイン基板ユニットの概略構成を示す分解斜視図である。
【図１７】メイン基板ユニットの正面図である。
【図１８】遊技機のホッパー近傍を拡大して示す部分拡大図である。
【図１９】ホッパーを左後方斜め上から見た外観斜視図である。
【図２０】ホッパーの払出部を右前方斜め上から見た外観斜視図であって、一部を分解して示した図である。
【図２１】ホッパーの底面図である。
【図２２】ホッパーにおける放出口近傍のメダル厚み方向における断面図である。
【図２３】遊技機の電源ユニット近傍を拡大して示す部分拡大図である。
【図２４】電源ユニットの外観斜視図である。
【図２５】（ａ）は、電源ユニットを右側方から見た側面図であり、（ｂ）は電源ユニットのＢ−Ｂ断面図であり、（ｃ）は電源ユニットのＣ−Ｃ断面図である。
【図２６】電源ユニットを上方から見た平面図である。
【図２７】遊技機のフロント枠の分解斜視図である。
【図２８】フレームを斜め前方から見た外観斜視図である。
【図２９】右側のサイドレンズユニットを斜め後方から見た外観斜視図である。
【図３０】操作パネルユニットを斜め後方から見た外観斜視図である。
【図３１】受皿の一部（右側部分）を斜め後方から見た部分斜視図である。
【図３２】上部レンズユニットを斜め後方から見た外観斜視図である。
【図３３】フロント枠における操作パネルユニット近傍を分解して示す分解斜視図である。
【図３４】フロント枠における受皿ベースプレート近傍を拡大して示す拡大斜視図である。
【図３５】操作パネルユニットにおける下マスクユニット近傍の分解斜視図である。
【図３６】フロント枠における下部スピーカユニット近傍を分解して示す分解斜視図である。
【図３７】上部スピーカユニットを分解して示す分解斜視図である。
【図３８】上部スピーカと後方カバーとの取付状態を示す図であって、（ａ）は斜視図、（ｂ）は断面図である。
【図３９】フロント枠における鍵穴近傍を斜視した拡大斜視図である。
【図４０】錠前ユニットの概略構成を示す分解図である。
【図４１】フレームの右上部近傍を右斜め後方から見た斜視図である。
【図４２】シリンダユニットにおける断面図である。
【図４３】操作パネルユニットの分解斜視図である。
【図４４】ベットボタンユニットの拡大斜視図である。
【図４５】ベットボタンユニットの膨出部への取付け状態を示す構造図である。
【図４６】ベットボタンユニットを下面側から見た外観斜視図である。
【図４７】ベットボタンユニットのユニット本体を省略して上方から見た斜視図である。
【図４８】ストップボタンユニットを右斜め後方から見た外観斜視図である。
【図４９】センサユニット部分を右斜め前方から見た斜視図である。
【図５０】遊技機におけるセレクタユニット近傍の分解斜視図である。
【図５１】セレクタユニット内部のメダル通路を示す内部構造図である。
【図５２】セレクタユニット取付ブラケットを後方から見た後面図である。
【図５３】中央表示基板近傍の分解斜視図である。
【図５４】基板ケースの右後方を斜め下方から斜視した斜視図である。
【図５５】遊技機の返却通路近傍の分解斜視図である。
【図５６】通路部材の外観図である。
【図５７】遊技機の操作パネルユニットのフレームへの取付構造を示す断面図である。
【図５８】操作パネルユニットにおける膨出部（操作パネル部）近傍の部分斜視図である。
【図５９】サイドレンズユニットの内部構造の概略を示す分解斜視図である。
【図６０】上部照明ユニットにおけるＬＥＤ基板、分光プレート、拡散部材の配置を示す配置図である。
【図６１】遊技機における中央パネルユニットの分解図である。
【図６２】遊技機におけるフレームを右斜め後方から見た斜視図である。
【図６３】遊技機における上部レンズユニットの分解図であって、右斜め前方から矢視した図である。
【図６４】遊技機における上部レンズユニットの分解図であって、右斜め後方から矢視した図である。
【図６５】演出基板部を右斜め後方から見た斜視図である。
【図６６】演出基板部の分解斜視図である。
【図６７】この遊技機における各種基板及び電気装置の接続の様子を示すブロック構成図である。
【実施するための形態】
【００１７】
＜Ａ．筐体の構造＞
＜Ａ−０．全体の概略説明＞
本発明の実施の形態について、図面を用いて説明する。
【００１８】
図１は、遊技機２を右斜め上方から見た外観斜視図である。遊技機２は、３つのリール１１〜１３の回転及び停止による遊技を実現する遊技機である。より具体的には、遊技者がメダル投入口４から遊技媒体としてのメダルを投入し、若しくはベットボタン５を押下すると、リール１１〜１３の回転開始準備完了状態となる。その後、遊技者がスタートレバー３を押下操作すると、リール１１〜１３が上下方向に回転を開始する。ベットボタン５には、１回の遊技で消費可能な最大枚数のメダルを一度にＢＥＴすることができるＭＡＸベットボタン５ａと、１枚ずつＢＥＴすることができる１枚ベットボタン５ｂとがあり、これらを総称してベットボタン５と呼ぶこととする。
【００１９】
リール１１〜１３は、その周上に各々複数の装飾図柄が配列されており、遊技機２における左右方向（図１における左右方向）に沿って同軸線上に配置され、その左右方向に延びる回転軸周りに回転する。遊技者が各リール１１〜１３に対応するストップボタン２１〜２３を押下すると、所定の停止図柄でリール１１〜１３が停止する。その停止図柄の組合せによって当り／外れが決定され、当りの場合は、遊技者にとって利益の付与が行われる。利益の付与とは、例えば、ビッグボーナス（ＢＢ）やレギュラーボーナス（ＲＢ）と呼ばれる所定枚数のメダルの払出しやリプレイと呼ばれるメダル投入不要の再遊技等である。外れの場合は、遊技者への利益付与は行われない。
【００２０】
実際には、スタートレバー３の押下を起因として、遊技機２内部で複数の役の抽選が行われ、当選態様が決定される。その当選態様に対応する停止図柄の組合せで、リール１１〜１３が停止する。なお、リール１１〜１３の上方には、画像や映像による演出を表示する液晶表示装置６も配置されている。
【００２１】
遊技機２は、全体形状が略直方体形状を呈する箱状の装置である。具体的には、遊技機２の上下左右及び背面側を覆って前面側が開口するキャビネット７とその前面開口を塞ぐようにキャビネット７の前方に配置されるフロント枠８とで箱形状を形成している。キャビネット７は、木材で構成されて内部が中空とされ、その中空内部に遊技機２の主要構成物の多くを内包している。
【００２２】
フロント枠８とキャビネット７とは、通常使用状態においては、錠前ユニットにより施錠され、閉鎖されている。フロント枠８は、キャビネット７に対して左側面７ａ側において回転可能に軸支されており、鍵穴１０に鍵を差し込んで解錠すると、左側面７ａ側を中心に、前方に向けて開放可能となっている（図３参照）。フロント枠８を前方開放すると、キャビネット７の中空内部にアクセス可能となり、キャビネット７内部のメンテナンスが可能となっている。
【００２３】
キャビネット７内部には、装飾図柄の回転／停止による遊技を実現するリール１１〜１３が配置されている。フロント枠８の正面（前面）側略中央には、透明板８ａが配置され、その透明板８ａを介してリール１１〜１３が臨み、停止図柄を遊技者に提示することができるようになっている。
【００２４】
透明板８ａの上方には、液晶表示装置６が配置されており、その液晶表示装置６の左右両側には上部スピーカが配置されている。透明板８ａの下方には、前方に向けて膨出する膨出部８ｂが形成されており、膨出部８ｂには、ベットボタン（ＭＡＸベットボタン５ａ、最小ベットボタン５ｂ）５、スタートレバー３、ストップボタン２１〜２３、メダル投入口４の他に、精算ボタン１４、演出ボタンユニット１４ａ、鍵穴１０等が配置されている。
【００２５】
膨出部８ｂの下方部分には、意匠等の装飾画像を表示する下パネル１５が配置されており、更にその下方には、下部スピーカ８８ｂ，８８ｂ及び払出しメダルを受ける受皿１７が配置されている。そして、それらを囲むように、サイドレンズユニット１８、上部レンズユニット１９が配置され、遊技機２の前面における電飾による演出を行っている。
【００２６】
なお、遊技機２の内部には、多数の構成部品が配置され、また、フロント枠８にも上記に説明したもの以外に多数の構成部品が配置されているが、それらについては、以下各項目において詳細に説明する。
【００２７】
＜Ａ−１．キャビネット＞
図２は、この遊技機２を背面側から見た背面図である。キャビネット７の背面７ｂは、平板部材であって略長方形を呈している。背面７ｂには、キャビネット７内部の熱を放熱するために多数の孔が開口形成されている。また、遊技機２外部からの配線を遊技機２内部へと引き入れるための配線孔７ｅも開口形成されており、この配線孔７ｅも放熱機能を発揮する。
【００２８】
例えば、遊技機２内部の外部集中端子基板と遊技機ホールに設置されたホールコンピュータとを接続する接続配線が、配線孔７ｅを貫通して配線される。これらの配線孔７ｅは、パチンコ球が通過できない程度のサイズに形成されている。配線孔７ｅが円形状である場合は、その直径は、例えばφ１１ｍｍ未満とされる。配線孔７ｅが長穴形状である場合は、その対向する長辺と長辺との間隔は、例えば１１ｍｍ未満とされる。同じ遊技機ホール内に遊技機２とパチンコ機とが設置されている場合であっても、遊技機ホール内で取り扱うパチンコ球が配線孔７ｅを通過することによる遊技機２内部への侵入を有効に防止することができる。
【００２９】
背面７ｂには、遊技機ホールの島設備によって遊技機２内部のホッパーにメダルを補給するための補給孔７ｆも開口形成されている。島設備からの補給ホース（不図示）が補給孔７ｆを貫通して遊技機２内部のホッパー上部へと至るように配置される。島設備によってメダルを補給しない場合は、カバー部材７ｇが補給孔７ｆに蓋をするように取り付けられる。したがって、補給孔７ｆが閉鎖され、パチンコ球の補給孔７ｆからの遊技機２内部への侵入が防止されるようになっている。
【００３０】
図３は、フロント枠８をキャビネット７に対して前方開放した状態を示す外観図であって、遊技機２内部の構成を示している。遊技機２内部には、３つのリール１１〜１３を有するリール装置（回胴装置）９、ホッパー２０、電源ユニット２４等が配置されている。キャビネット７の左側面７ａ及び右側面７ｃには、把手２５が形成されている。把手２５は、遊技機２を運搬する際に運搬者が把持するためのもので、親指を除く４本の指が入る程度の大きさに形成された凹部２５ａを有する。
【００３１】
図４は、把手２５を説明するための説明図であって、（ａ）は遊技機２の右側面図である。なお、把手２５は、右側面７ｃと同様に左側面７ｂにも形成されており、その配置は左右対称である。ここでは、右側面７ｃにおける把手２５のみを説明することとし、左側面７ｂにおける把手２５の説明は省略する。
【００３２】
図４（ａ）に示すように、把手２５は、遊技機２の右側面７ｃにおける略中央やや下方位置に形成されている。把手２５の上下方向位置は、運搬者が把手２５を把持して遊技機２を持ち上げた際に、適度な高さに持ち上げることができるように設定されている。また、把手２５の前後方向における中心軸Ｐ１は、右側面７ｃでの前後方向の中心軸Ｐ２（中心軸Ｐ２は上面７ｈにおける中心軸である）に対して、前方（すなわち、図４（ａ）における左方向）にシフトして形成されている。
【００３３】
運搬者が遊技機２を運搬する際、その背面７ｂ側に立ち、両手を把手２５に挿入して持ち上げる。ここで、把手２５が遊技機２の前方にシフトして配置されているので、遊技機２の上面７ｈ側が運搬者側に傾くような重心パランスとなる。持ち上げたときに、運搬者にとって遊技機２が近づく方向に倒れこんでくるので、バランスが取りやすく、運搬作業が容易となる。
【００３４】
把手２５の凹部２５ａは、略直方体形状とされた中空室とされている。その中空の凹部２５ａ内に運搬者が４本の指を掛けて遊技機２を持ち上げる。運搬者の４本の指は、凹部２５ａの上面２５ｂに掛けられることとなる。したがって、凹部２５ａの上面２５ｂが、手前側よりも奥側が上方に上がり傾斜する傾斜面とされていれば、持ち易さが一層向上する。
【００３５】
このような把手２５の変形例を図４（ｂ）に示す。図４（ｂ）は、把手２５の変形例を示す断面図である。図４（ｂ）は、遊技機２における前後方向を法線とする平面で切断している。この変形例においては、把手２５における凹部２５ａの上面２５ｂが手前側（すなわち、右側面７ｃに近い側）で下がり、奥側（すなわち、遊技機２の中心位置に近い側）で上がる傾斜面となっている。したがって、運搬者が指を掛けたとき、上面２５ｂに指がしっかり掛かって持ち易くなり、運搬時の安全性が増す。
【００３６】
＜Ａ−２．ハーネスクランプ＞
図５は、この遊技機２の内部構造を示す斜視図である。図５においては、フロント枠８を省略している。キャビネット７の内面側には、ハーネスクランプ２６が配置されている。ハーネスクランプ２６は、配線２７の通過位置を規制するためのものである。ハーネスクランプ２６は、キャビネット７の内面において背面７ｂと左側面７ａとが交差する位置の近傍に配置されており、背面７ｂ及び左側面７ａに上下２つのハーネスクランプ２６が固定されている。ハーネスクランプ２６は、キャビネット７の内面に、例えば、図５に示す取付穴（取付部）を利用してネジにより締結されてもよいし、取付面（取付部）に接着剤又は粘着テープを付して、その接着性又は粘着性により取り付けられてもよい。
【００３７】
図６は、ハーネスクランプ２６の拡大図である。ハーネスクランプ２６は、例えば、アクリル、ポリカーボネート等の透光性を有する樹脂で形成されている。ハーネスクランプ２６は、略直方体形状の外形を呈しており、その一部に大きく切り欠かれた切欠部（配線通過部）２６ａが形成されている。この切欠部２６ａに、リール装置９内に配置され、中継基板としての機能も有するリール制御基板と、電源ユニット２４やホッパー２０とを接続する配線２７が通過するようになっている。
【００３８】
配線２７の通過方向に直交する直交面内において、通過する配線２７の量（すなわち、その断面積）に比較して切欠部２６ａの断面積が大きく形成されているので、ハーネスクランプ２６は配線２７を締め付けずに切欠部２６ａ内で緩く位置決めする。そして、切欠部２６ａ内で、配線２７はその配線方向（本実施形態においては、上下方向）に沿って移動することができる。なお、本実施形態においては、切欠部２６ａとキャビネット７の内面の一部とが協働して配線２７を通過させる通過孔を形成しているが、もちろん、ハーネスクランプ２６が、一部が切り欠かれた切欠部でなく周囲が閉じた配線通過孔（配線通過部）を有していてもよい。
【００３９】
ホッパー２０のメンテナンス時に、ホッパー２０がパチスロ機２手前側に引き出され、ホッパー２０に接続されている配線２７が引っ張られることがある。配線２７自体は、メンテナンスを考慮して余裕をもった長めの配線長としていても、ハーネスクランプ２６が配線２７を締め付けて固定していると、配線２７が移動できず、ホッパー２０が充分に引き出せないという状況になってしまう。
【００４０】
このハーネスクランプ２６は、配線２７を締め付けず、配線の上下移動を許容するので、ホッパー２０のメンテナンス性を向上させる。ホッパー２０を手前に引き出す際に、配線２７が移動できずにホッパー２０が充分に引き出せない、という事態を回避することができる。
【００４１】
ハーネスクランプ２６は、透光性を有しており、望ましくは透明である。したがって、ハーネスクランプ２６の切欠部２６ａ内にある配線２７を、ハーネスクランプ２６を通して視認することができる。配線２７に対して不正な改造等が行われても、早期に発見することができる。ひいては、配線に対する不正行為を予防することができる。
【００４２】
また配線２７にチューブカバーなどの保護手段を施すことで断線予防や配線２７の移動をさらにスムーズにさせることも可能である。
【００４３】
＜Ａ−３．ドアセンサの配線構造＞
図７は、この遊技機２のドアセンサ２８近傍を示す外観図である。図７においては、ドアセンサ２８をキャビネット７から取り外した分解状態を示している。ドアセンサ２８は、キャビネット７に対するフロント枠８の開閉状態を検出するためのセンサであって、遊技機２の右上方近傍に配置されている。より具体的には、キャビネット７の内面側における右側面７ｃと上面７ｈとが交差する位置の近傍に配置されている。
【００４４】
キャビネット７内面側に取付ブラケット２９が固定されている。取付ブラケット２９は、キャビネット７の内周を補強するための補強フレーム３０の一部であってもよく、例えば金属プレートにより構成されている。その取付ブラケット２９に形成された取付孔２９ａに挿入され、図示しない係止フック等により係止されてドアセンサ２８が取付ブラケット２９に取り付けられている。
【００４５】
ドアセンサ２８は、例えば、検出片２８ａを有するスイッチである。その検出片２８ａは、遊技機２の前後方向に沿って進退する。検出片２８ａが進出した状態（前方に突出した状態）で、ドアセンサ２８はフロント枠８の開放を検出し、退避した状態（後方に押し込まれた状態）で、ドアセンサ２８はフロント枠８の閉鎖を検出する。
【００４６】
ドアセンサ２８とリール装置９内のリール制御基板とは、配線３１により接続されている。キャビネット７の右側面７ｃの内面側には、遊技機外部のホールコンピュータ（不図示）からの配線を中継する外部集中端子基板３６が配置されている。外部集中端子基板３６は、樹脂製のベース部材３７に取り付けられている。ベース部材３７は透明又は半透明とされており、外部集中端子基板３６の周囲を囲むように配置され、右側面７ｃの内面側に取り付けられている。
【００４７】
ベース部材３７の一側面には、配線３１を挟持可能なベースリブ３７ａが突出配置されている。リール制御基板からの配線３１は、このベースリブ３７ａを通過して挟持され、ドアセンサ２８へと至っている。
【００４８】
配線３１の端部にはコネクタ３２が取り付けられており、ドアセンサ２８と配線３１とはコネクタ接続される。このコネクタ３２と配線３１との接合部分は、透明または半透明な材料で構成された樹脂カバー３３で周囲が覆われている。樹脂カバー３３は、コネクタ３２や配線３１に極力密着してその内部への異物の侵入を防止すべく、可撓性を有するビニル素材が望ましい。それにより、コネクタ３２、配線３１又はその接合部に対する改造等の不正行為を防止することができる。
【００４９】
樹脂カバー３３は透明または半透明な材料で構成されているので、樹脂カバー３３を通して内部のコネクタ３２や配線３１を容易に視認することができる。万一、樹脂カバー３３内でコネクタ３２、配線３１又はその接合部に対して改造等が行われた場合でも、早期に発見することができる。ひいては、不正行為の予防に寄与する。
【００５０】
＜Ａ−４．ドアセンサの検出構造＞
図８は、この遊技機２のキャビネット７とフロント枠８とを閉鎖した状態を示すドアセンサ２８近傍の断面図である。図８は、遊技機２における左右方向を法線とする断面で切断している。図９は、フロント枠８を背面側の斜め上方から見た斜視図である。図９では、遊技機２の右上方近傍を示している。
【００５１】
フロント枠８の背面側における右上方近傍位置であって、ドアセンサ２８に対応する位置には、受け面３５ａが形成されている。受け面３５ａは、フロント枠８の閉鎖状態において、スライド動作するドアセンサ２８の検出片２８ａを受けて押し込むための面であって、フロント枠８側に配置されている。この遊技機２では、フロント枠８の周囲フレームを構成する金属製のフレーム部材３５の一部が受け面３５ａとされている。フレーム部材３５の一部が受け面３５ａとされているので、ドアセンサ２８と受け面３５ａとの前後方向における相互の位置精度が向上している。フロント枠８の閉鎖状態におけるドアセンサ２８の閉検出、開放状態におけるドアセンサ２８の開検出を高い検出精度で実現することができる。
【００５２】
フレーム部材３５には、周壁部材３４が取り付けられている。周壁部材３４は、透光性を有する（望ましくは透明な）樹脂部材である。周壁部材３４には、所定高さの周壁３４ｂが立設形成されており、周壁３４ｂが受け面３５ａの周囲を囲むように位置している。
【００５３】
図８に示すように、キャビネット７に対してフロント枠８が閉鎖されると、ドアセンサ２８の検出片２８ａが受け面３４ａに当接し、更に後方に押し込まれて退避状態となる。このとき、検出片２８ａの周囲は周壁３４ｂで囲まれており、外部から検出片２８ａへのアクセスができないようになっている。例えば、キャビネット７とフロント枠８との隙間から不正工具を挿入し、検出片２８ａに不正アクセスして検出片２８ａが常に押し込まれている状態（すなわちフロント枠８を開いても遊技機２はフロント枠８が閉じていると認識している状態）にさせようとしても、周壁３４ｂの存在により不正工具の検出片２８ａへの到達は非常に困難とされている。周壁３４ｂは、受け面３４ａの全周を囲むように立設形成されることが望ましい。ただし、全周でなくても、キャビネット７とフロント枠８との隙間からの不正アクセスを防止すべく、遊技機２の右側面側から上面側にかけて立設されていれば、一定の不正防止効果を発揮することができる。
【００５４】
＜Ｂ−１．リール装置＞
図１０は、この遊技機２のキャビネット７内部に配置されるリール装置９の分解斜視図である。リール装置９は、リールユニットベース３８、リール１１〜１３、リール制御基板３９、リールランプ基板４０を有して大略構成される。なお、図１０においては、リール１３、リール制御基板３９、リールランプ基板４０が分解表示されている。
【００５５】
リールユニットベース３８は、前面が開口された中空構造のユニットであって、樹脂材料で形成されている。その中空内部に３つのリール１１〜１３を保持しており、リール１１〜１３が、透明板８ａを介して遊技機２の前方側から視認できるようになっている。
【００５６】
リールユニットベース３８は、キャビネット７内部に固定されたリールブラケット４１（図５参照）に載置されて取り付けられている。リール装置９の後面側では、リールユニットベース３８後面側下方に突出形成された突起部（不図示）が、リールブラケット４１に開口形成された取付孔に挿入されることによって取り付けられている。リール装置９の前面側では、着脱可能な樹脂製のリベット４２によって、リールユニットベース３８の前面側下方がリールブラケット４１に取り付けられている。なお、リベット４２は、リールユニットベース３８の前面側下方においてリール１１〜１３、リールユニットベース３８、リールブラケット４１を共締めしている。
【００５７】
リールユニットベース３８の上面３８ａには、リール制御基板３９とリールランプ基板４０とが取り付けられている。リール制御基板３９、リールランプ基板４０は、各々透明な基板ケース３９ａ、４０ａに収納され保護されている。基板ケース３９ａ，４０ａが透明であるので、基板ケース３９ａ，４０ａを介して外部からリール制御基板３９、リールランプ基板４０を容易に視認することができる。したがって、これらの基板３９，４０に対して改造等の不正行為が行われた場合であっても、容易に早期発見をすることができる。
【００５８】
基板ケース３９ａ，４０ａは、各々２箇所で着脱可能な樹脂製のリベット４３によって上面３８ａに取り付けられている。樹脂製のリベット４３は、基板ケース３９ａ，４０ａに形成された取付孔と上面３８ａに形成された取付孔とに挿入し、更に頂部４３ａを押し込むと底部４３ｂが放射方向に拡張して抜けなくなって取付けが完了するようになっている。取付け状態において頂部４３ａを引き抜くと底部４３ｂが収縮して取外しができるようになっている。
【００５９】
リベット４３によって、基板ケース３９ａ，４０ａは上面３８ａに対して簡単に着脱可能な構造となっている。基板ケース３９ａ、４０ａを簡単に取り外すことができるので、リール制御基板３９やリールランプ基板４０の裏面側（下面側）を確認する作業も容易となっている。基板３９，４０の裏面側に対し不正な改造等が行われた場合であっても、基板ケース３９ａ，４０ａの取外しにより早期発見をすることができる。なお、リベット４３の着脱構造は、リベット４２や後述するリベット４４においても共通である。
【００６０】
リール制御基板３９は、内部にリール１１〜１３を回転駆動する駆動モータのドライバ回路を有している。リール制御基板３９は、遊技機２の全体動作を制御するメイン基板（主制御基板）４５（図３参照）と接続されており、メイン基板４５からの動作制御コマンドに基づいて、リール装置９の動作（駆動モータの回転動作）を制御する。
【００６１】
リール制御基板３９には、キャビネット７の下方に配置された電源ユニット２４からの配線４６ａがコネクタ４６ｂによって接続されている。また、電源ユニット２４の近傍に位置するホッパー２０からの配線４７ａがコネクタ４７ｂによって接続されている。これにより、電源ユニット２４からの電力が、リール制御基板３９を介してホッパー２０に供給されるようになっており、リール制御基板３９は、電源供給における中継基板としての機能を発揮している。電源ユニット２４からの電力は、リール制御基板３９を介してメイン制御基板４５へも供給されている。
【００６２】
リールランプ基板４０は、各リール１１〜１３内に配置されたバックランプ４８の点灯及び消灯に用いるための中継基板である。リールランプ基板４０は、各リール１１〜１３内のバックランプ４８に接続され、かつ、遊技機２の各種演出制御を実行するサブ基板（演出制御基板）４９（図３参照）にも接続されており、サブ基板４９からの演出制御コマンドに基づくバックランプ４８の点灯・消灯を実現する。
【００６３】
リール１１〜１３は、遊技者に呈示する図柄を回転・停止させるためのものである。リール１１〜１３は、リールユニットベース３８の中空内部に、リベット４３，４４によって着脱可能に取り付けられている。容易に脱着できるリベット４３，４４によってリール１１〜１３がリールユニットベース３８に取り付けられているので、メンテナンス等の際の取外しが容易である。リール１１〜１３は、左右方向に並んで配列されている。左右方向に延びる回転軸Ｘを同軸として、３つのリール１１〜１３におけるリールテープユニット５４が回転可能とされている。
【００６４】
図１０においては、リール１１〜１３のうち、リール１３のみを前方に分解図示している。３つのリール１１〜１３は、略同様の構造を有しているので、以下、リール１３についてのみ説明し、リール１１，１２についての説明を省略する。図１１及び図１２は、リール１３の分解斜視図である。図１０は、リール１３全体を右斜め上方から見た図であり、図１１は、リールテープユニット５４を省略してリール１３を左斜め後方（駆動モータ５１側）から見た図である。
【００６５】
リール１３は、リールベース５０、駆動モータ５１、回転センサ５２、バックランプユニット５３、リールテープユニット５４を有して大略構成されている。リールベース５０は、リール１３をリールユニットベース３８に取り付けるためのベース部材であり、樹脂製の略平板状部材である。リールベース５０の上下２箇所には取付孔５０ａが開口形成されており、この取付孔５０ａにリベット４３，４４を貫通させてリールベース５０が前方からリールユニットベース３８の中空内部に取り付けられる。
【００６６】
リールベース５０には、駆動モータ５１、回転センサ５２、バックランプユニット５３が取り付けられている。駆動モータ５１は、リールテープユニット５４を回転駆動するためのモータである。
【００６７】
この遊技機２においては駆動モータ５１として、バイポーラ型のステッピングモータが用いられている。バイポーラ型のステッピングモータを用いることにより、高い駆動トルク、円滑な回転、高い停止位置精度、確実な停止保持等の機能を実現している。リールテープユニット５４の停止時に発生する駆動モータ（バイポーラ型ステッピングモータ）５１内のスイッチ切替動作に対して一旦励磁をかけることで貫通電流を防止している。それにより、スムーズなリール停止動作とモータ破損の防止とを実現している。
【００６８】
駆動モータ５１のモータ軸５１ａには、リールテープユニット５４がキー及びキー溝を用いて固定取付けされており、リールテープユニット５４は、モータ軸５１ａと同期回転するようになっている。リールテープユニット５４は、取付けリング５５、補助リング５６、リールテープ５７を有している。
【００６９】
取付けリング５５は、モータ軸５１ａに取り付けるためのリング部材であって、回転中心近傍に位置する取付部５５ａから放射状に延びる複数の支持部５５ｂが、円環部５５ｃを保持するように構成されている。取付部５５ａには、モータ軸５１ａを貫通させる貫通孔とモータ軸５１ａ側のキーを挿入するためのキー溝５５ｆとが形成されている。
【００７０】
円環部５５ｃには、その外周面に沿ってリールテープ５７が貼付される。リールテープ５７は、展開すると縦長の長方形状を呈する透明又は半透明のフィルムであって、その周面５７ａには、複数の装飾図柄が配列されている。装飾図柄は、例えば、「７」や「チェリー」や「ベル」を示す図柄である。３つのリール１１〜１３が遊技者に向けて停止表示した装飾図柄の組合せによって、当たり／外れが決定されるようになっている。
【００７１】
円環部５５ｃの外周面に沿うように、リールテープ５７が円環状に貼付される。リールテープ５７の長辺の長さは、円環部５５ｃの外周面の周長と略一致している。円環部５５ｃは、リールテープ５７の左側辺側に貼付される。円環部５５ｃの外周面には、図１１に部分拡大図を示すように、基準マーク５５ｄが刻印されている。基準マーク５５ｄは、例えば、左右方向に沿った３つの線で表現されたマークである。リールテープ５７を貼付する際、その先端位置（後端位置も略同一である）を基準マーク５５ｄの位置に合わせて貼付する。
【００７２】
取付けリング５５の支持部５５ｂには、回転センサ５２によって検出するための検出片５５ｅが突出形成されている。検出片５５ｅは、取付けリング５５の１回転で回転センサ５２により１回検出されるようになっている。検出片５５ｅと基準マーク５５ｄとの位置関係が予め分かっているので、駆動モータ５１を回転駆動したときに、リールテープ５７の先端位置がどこにあるかを把握することができる。したがって、検出片５５ｅ、基準マーク５５ｄの位置に基づいて、正確に所望の装飾図柄を停止表示することができる。
【００７３】
回転センサ５２は、図１２に示すように、リールベース５０の左側面側に突出形成された膨出部５０ｂ上に取り付けられている。膨出部５０ｂには複数の取付孔５０ｃが形成され、回転センサ５２には、その取付孔５０ｃに対応する位置に複数の取付フック５２ａが形成されている。取付フック５２ａを取付孔５０ｃに係止することにより、簡単に回転センサ５２を膨出部５０ｂにワンタッチで取り付けることができる。また、取付フック５２ａは、簡単に解除可能とされているので、メンテナンス時等においては、回転センサ５２を膨出部５０ｂからワンタッチで取り外すことができる。
【００７４】
なお、基準マーク５５ｄは、取付けリング５５にのみ刻印されており、対面側の補助リング５６には刻印されていない。検出片５５ｅが形成された取付けリング５５に基準マーク５５ｄが一体的に刻印されているので、検出片５５ｅと基準マーク５５ｄとの高い位置精度、ひいては、検出片５５ｅとリールテープ５７先端との高い位置精度が実現され、装飾図柄の停止位置精度の向上に寄与している。
【００７５】
リールテープ５７の右側辺側には、補助リング５６の円環部５６ａが貼付されている。補助リング５６は、取付けリング５５と共にリールテープ５７を保持するための部材であるが、補助リング５６には、取付部５５ａや支持部５５ｂに相当する部分がなく、円環形状の円環部５６ａのみで構成されている。したがって、補助リング５６は、貼付されたリールテープ５７の回転によって連れ回りすることとなる。取付部５５ａや支持部５５ｂに相当する部分がなく、簡易な構成とされているので、補助リング５６を軽量かつ低コストに構成することができる。
【００７６】
リールベース５０の左側面には、バックランプユニット５３が取り付けられている。バックランプユニット５３は、リールテープ５７の円環内部であって、遊技者に呈示する装飾図柄の後方に位置するように配置され、リールテープ５７上の装飾図柄を後方から照明する。バックランプユニット５３の前面側は、隔壁５３ａにより複数（例えば、６個）の隔室に分割され、各隔室内に各々バックランプ４８が配置されている。バックランプ４８は、例えばＬＥＤである。各リール１１〜１３のバックランプ４８は、配線によりリールランプ基板４０に接続されている。
【００７７】
図１２に示すように、バックランプユニット５３の右側部は、取付部５３ｂとされ、その取付部５３ｂに複数の取付孔５３ｃが開口形成されている。リールベース５０の左側面には、取付孔５３ｃに対応する位置に取付フック５０ｄが形成されている。この取付フック５０ｄを取付孔５３ｃに係止することにより、簡単にバックランプユニット５３をリールベース５０にワンタッチで取り付けることができる。このとき、リールベース５０の左側面に突出形成された位置決めピン５０ｅが取付部５３ｂに開口形成された位置決め孔５３ｄに挿入され、バックランプユニット５３の位置精度向上が図られている。また、回転センサ５２と同様に、取付フック５０ｄは、簡単に解除可能とされているので、メンテナンス時等においては、バックランプユニット５３をリールベース５０からワンタッチで取り外すことができる。
【００７８】
＜Ｃ−１．補助金庫＞
図１３は、この遊技機２の補助金庫５８近傍を拡大して示す部分拡大図である。補助金庫５８は、ホッパー２０から溢れたメダルを受け入れて貯留するための箱状部材である。補助金庫５８は、キャビネット７内部の、遊技機２の右下方近傍であって、ホッパー２０の右方に隣接して配置され、キャビネット７の底板７ｊ上に載置されている。
【００７９】
補助金庫５８は、ホッパー２０の漏出口２０ａ（図５参照）から溢れたメダルを上面開口５８ａから箱部材５８ｂ内部に受け入れて貯留する。図１４は、補助金庫５８を左斜め上方から見た斜視図である。筐体５８ｂは、略四角筒形状を呈する樹脂部材であって、周囲四方を囲むような形状とされている。上面開口５８ａと共に、底面側にも排出開口５８ｃが大きく開口形成されている。
【００８０】
排出開口５８ｃは、遊技機ホールの島設備がメダルの自動回収システムを有する場合に使用するための開口である。島設備側のメダル回収経路に向けて、排出開口５８ｃからメダルが落下するようになっている。その場合は、キャビネット７の底板７ｊにも、排出開口５８ｃに対応する位置にメダル落下のための開口（不図示）が形成される。
【００８１】
島設備がメダル自動回収システムを有さない場合は、排出開口５８ｃが複数（この遊技機２においては、３枚）の底板５８ｄによって閉鎖される。底板５８ｄは、例えば、アルミ又はステンレス等の金属板である。３枚の底板５８ｄによって排出開口５８ｃを閉鎖するので、上面開口５８ａから受け入れたメダルは、下方に排出されず、補助金庫５８内に貯留される。
【００８２】
筐体５８ｂの底面近傍には、各底板５８ｄに対応してフック５８ｅが形成され、底板５８ｄを係止するようになっている。底板５８ｄは、フック５８ｅに係止されることにより、容易に筐体５８ｂの底面から脱落しないようになっている。
【００８３】
なお、排出開口５８ｃを使用する場合は、フック５８ｅを解除して底板５８ｄを筐体５８ｂの底面から取り外す。図１４に示すように、筐体５８ｂの、例えば左外側面５８ｆに、取り外した３枚の底板５８ｄを収納するための収納部５８ｇが設けられていてもよい。３枚の底板５８ｄを収納部５８ｇに収納することができるので、底板５８ｄの紛失防止に寄与する。
【００８４】
＜Ｄ−１．メイン基板＞
図１５は、この遊技機２のメイン基板（主制御基板）４５近傍を拡大して示す部分拡大図である。メイン基板４５は、この遊技機２の全体の動作を制御するための電子回路基板である。
【００８５】
キャビネット７内部の上面７ｈに近い位置において、キャビネット７の背面７ｂにメイン基板ユニット５９が取り付けられている。図１６は、メイン基板ユニット５９の概略構成を示す分解斜視図である。図１７は、メイン基板ユニット５９の正面図である。メイン基板ユニット５９は、取付ベース６０、基板ケース６１、メイン基板４５、スイッチボックス６２を有して大略構成される。基板ケース６１は、本体ケース６１ａと蓋ケース６１ｂとを有して構成され、本体ケース６１ａと蓋ケース６１ｂとにメイン基板４５が収容されるようになっている。
【００８６】
取付ベース６０は、基板ケース６１を背面７ｂに取り付けるための大略盤状とされた部材である。取付ベース６０は、透明又は半透明の樹脂材料で形成され、基板ケース６１を保持する保持面（基板ケース保持面）６０ａ、スイッチボックス６２を受け入れる保持面（スイッチボックス保持面）６０ｂとを有している。
【００８７】
保持面６０ａには、基板ケース６１を保持した際に基板ケース６１によって覆われる位置に、取付ベース６０を背面７ｂにネジで取り付けるための取付孔６０ｃが形成されている。保持面６０ａに保持した基板ケース６１を係止する係止フック６０ｄが保持面６０ａ近傍に配置されている。保持面６０ｂの近傍にも、保持面６０ｂに保持したスイッチボックス６２を係止する係止フック６０ｇが配置されている。
【００８８】
保持面６０ａには、本体カシメ部６０ｅが２箇所配置されている。この本体カシメ部６０ｅにカシメ部材６０ｆが挿入されて、基板ケース６１が保持面６０ａに保持されると、基板ケース６１側の本体カシメ部と係合され、保持面６０ａからの基板ケース６１の取外しが実質的に不可能とされる（又は、取り外した際に、一部が破壊されてその痕跡が残存する）。
【００８９】
基板ケース６１は、本体ケース６１ａと蓋ケース６１ｂとが回転軸部６１ｃを中心に回転することにより開閉可能に構成されている。本体ケース６１ａ及び蓋ケース６１ｂは、共に透明又は半透明の樹脂材料で形成されており、内部に収容するメイン基板４５が基板ケース６１外部から容易に視認可能となっている。したがって、メイン基板４５への改造等の不正行為の早期発見に寄与している。
【００９０】
本体ケース６１ａには、取付ベース６０の本体カシメ部６０ｅと係合される本体カシメ部６１ｄが本体カシメ部６０ｅに対応する位置に２箇所配置されている。その結果、基板ケース６１と取付ベース６０とを２回カシメることが可能となっている。その結果、１箇所の本体カシメ部（６０ｅ，６１ｄ）を破壊して基板ケース６１を取付ベース６０から１回取り外しても、もう１箇所の本体カシメ部（６０ｅ，６１ｄ）によって基板ケース６１を取付ベース６０にカシメることができる。
【００９１】
本体ケース６１ａと蓋ケース６１ｂとは、ケースカシメ部６１ｆによって相互にカシメ係合されるようになっている。ケースカシメ部６１ｆを破壊しないと本体ケース６１ａと蓋ケース６１ｂとを開放することができないようになっているので、メイン基板４５に不正アクセスした場合にその痕跡が確実に残存するようになっている。
【００９２】
また、本体ケース６１ａと蓋ケース６１ｂとには、シール貼付面６１ｅが形成されている。本体ケース６１ａ側のシール貼付面６１ｅと蓋ケース６１ｂ側のシール貼付面６１ｅとは、両ケース６１ａ，６１ｂが閉鎖した状態で面一となるように形成され、この閉鎖状態で両ケースのシール貼付面６１ｅに跨るように封印シール（不図示）が貼付されるようになっている。
【００９３】
更に、そのシール貼付面６１ｅを覆うように、封印カバー６１ｇが取り付けられるようになっている。封印カバー６１ｇは、封印シールを保護するためのもので、不用意な封印シールの破損を防止する。封印カバー６１ｇは透明又は半透明の樹脂材料で形成され、取付状態で、外部から封印シールの破損状態が視認可能となっている。
【００９４】
本体ケース６１ａと蓋ケース６１ｂとを解放する際には、封印カバー６１ｇを取外し、封印シールを破損する必要がある。そのため、封印シールの破損状態を確認すれば、本体ケース６１ａと蓋ケース６１ｂとが開放されたか否か、すなわち、メイン基板４５への不正アクセスがあったか否かを容易に確認することができる。
【００９５】
なお、封印シールは、所定の情報部を有することが望ましい。その情報部には、遊技機２やメイン基板４５等の管理番号等の情報が含まれていてもよい。情報部は、例えば、封印シールに印刷されたバーコード等であってもよいが、ＲＦＩＤ等のＩＣを用いた情報記憶装置が封印シール内に埋めこまれていてもよい。
【００９６】
メイン基板４５は、この遊技機２の全体動作を制御するための電子回路基板であって、電源ユニット２４、サブ制御基板４９、リール制御基板３９等と配線接続されている。メイン基板４５の表面には、打止有無スイッチ４５ａや、遊技機２の遊技状態（例えば、パチスロ機における当選確率を設定する設定値）を設定するための設定値表示ＬＥＤ４５ｂ等が実装されている。打止有無スイッチ４５ａは、所定の契機に基づき打止を発生させるか否かを設定するためのスイッチである。設定値表示ＬＥＤ４５ｂは、後述する設定値変更処理時に、遊技機２の設定値（例えば、“１”〜“６”）を表示するための表示器である。
【００９７】
メイン基板４５には、メイン基板４５の型番等の文字情報４５ｃが表示されている。この文字情報４５ｃは、エッチング処理等によって作成されてもよいが、この遊技機２においては、文字情報４５ｃはレーザーマーキングによって刻印されている。
【００９８】
スイッチボックス６２は、略直方体形状のスイッチユニットである。スイッチボックス６２は、前面に開閉ドア６２ａを有しており、内部のスイッチ等が不用意に押されてしまうのを防止している。その開閉ドア６２ａの開閉状態は、開閉センサ６２ｂによって検出されるようになっている。
【００９９】
スイッチボックス６２は、設定値変更キー６２ｃとリセットスイッチ６２ｄとを有している。遊技機２の設定値変更処理時に、設定値変更キー６２ｃの鍵穴に変更用鍵を挿し込み回転させると、遊技機２は設定値変更処理モードとなる。この設定値変更処理モードにおいて、リセットスイッチ６２ｄを押すごとに、設定値が変更できるようになっている。変更された設定値は、設定値表示ＬＥＤ４５ｂにて表示される。
【０１００】
リセットスイッチ６２ｄは、遊技機２に何らかのエラーが発生した場合に、そのエラー状態を解除（通常状態への復帰）するためのエラー解除スイッチである。上述したように、リセットスイッチ６２ｄは、設定値変更処理時においては、設定値変更スイッチとしても兼用される。スイッチボックス６２の開閉センサ６２ｂ、設定値変更キー６２ｃ、リセットスイッチ６２ｄは、ハーネス及びコネクタ（不図示）を介してメイン基板４５へと接続されている。
【０１０１】
＜Ｅ−１．ホッパー＞
図１８は、この遊技機２のホッパー２０近傍を拡大して示す部分拡大図である。ホッパー２０は、メダル投入口４から投入されたメダルを受け入れる機能、受け入れたメダルを貯留する機能、遊技状況に応じてメダルを計数しつつ払い出す機能を有している。ホッパー２０は、キャビネット７内部におけるリール装置９の下方に位置し、底板７ｊ上に載置されている。
【０１０２】
図１９は、ホッパー２０を左後方斜め上から見た外観斜視図である。ホッパー２０は、貯留タンク２０ｂと払出部２０ｃとを有しており、払出部２０ｃの上方に貯留タンク２０ｂが取り付けられている。
【０１０３】
貯留タンク２０ｂは、メダルを貯留する機能を発揮する。貯留タンク２０ｂの中空内部には、遊技者が投入したメダルが貯留される。貯留タンク２０ｂの周壁の一部には、メダル導入部２０ｄが形成されている。メダル導入部２０ｄは、メダル投入口４から投入されたメダルを受け入れる機能を発揮する部分であって、周囲の上縁よりも一段低く形成されている。メダル投入口４から遊技者によって投入されたメダルは、このメダル導入部２０ｄを介して貯留タンク２０ｂ内に貯留される。
【０１０４】
貯留タンク２０ｂの周壁の一部には、漏出口２０ａも開口形成されている。この漏出口２０ａは、貯留タンク２０ｂから溢れたメダルを補助金庫５８へと導くための開口である。貯留タンク２０ｂ内には、タンク内のメダルを漏出口２０ａへとスムーズに導くための漏出経路２０ｆも配置されている。
【０１０５】
図２０は、ホッパー２０の払出部２０ｃを右前方斜め上から見た外観斜視図であって、一部を分解して示した図である。払出部２０ｃは、メダルを計数しつつ払い出す機能を発揮する。払出部２０ｃは、払出しモータ７２（図２１参照）や計数センサ６８等の機構部品を収容する収容体２０ｈと払出しモータ７２により回転駆動される回転板２０ｊとを有している。
【０１０６】
収容体２０ｈには、コネクタ６３が配置されている（図１９）。払出しモータ７２や計数センサ６８等の電気部品は、コネクタ６３及び配線４７ａによってリール制御基板３９のコネクタ４７ｂを中継し、最終的にメイン基板４５へと接続されている。配線４７ａは、コネクタ６３によって着脱可能にホッパー２０の収容体２０ｈに接続される。したがって、ホッパー２０のメンテナンス時等に、容易にホッパー２０から配線４７ａを取り外すことができる。
【０１０７】
回転板２０ｊは、収容体２０ｈの傾斜上面２０ｋに沿って配置され、貯留タンク２０ｂの下方に位置している。回転板２０ｊには、周上に複数の保持穴２０ｍが形成されており、この保持穴２０ｍ内にメダルが１枚ずつ保持されるようになっている。
【０１０８】
所定の遊技状況に基づきメダルの払出しを行う場合には、払出しモータ７２の駆動により回転板２０ｊが回転する。そうすると貯留タンク２０ｂに貯留されたメダルが、１枚ずつ保持穴２０ｍ内に保持される。保持穴２０ｍに保持されたメダルは、放出口２０ｎにおいて外側に押し出される。
【０１０９】
放出口２０ｎには、メダルの厚み方向への不用意な移動を規制して、メダルを前方へと円滑に排出させるための押え板６４と、放出口２０ｎにおけるメダル受け面２０ｒと押え板６４とのメダル厚み方向における間隙を所定間隙に保持するためのスペーサ６５とが配置されている。更に、放出口２０ｎにおいては、固定片２０ｐと移動片２０ｑとがメダルの直径より狭い間隔で配置され、移動片２０ｑが固定片２０ｐとの間隔を広げる方向に移動可能とされている。放出口２０ｎにおいて外側に押し出されたメダルは、固定片２０ｐと移動片２０ｑとの隙間に押し入り、固定片２０ｐと移動片２０ｑとの間隔を押し広げながら移動片２０ｑを移動させる。
【０１１０】
移動片２０ｑは、バネ等の付勢部材により固定片２０ｐとの間隔を狭める方向に付勢されている。その付勢力によってメダルは放出口２０ｎからホッパー２０外部へと放出され、遊技機２の受皿１７へと排出される。この移動片２０ｑの移動動作が計数センサ６８によって検出され、払出枚数が計数されるようになっている。
【０１１１】
図２１は、ホッパー２０の底面図である。収容体２０ｈの底面側に、２つの計数センサ６８（６８ａ，６８ｂ）及び検出片６７が配置されている。計数センサ６８は、例えば遮光センサである。検出片６７は、中心軸６６を中心に揺動可能となっており、中心軸６６からずれた位置６９に移動片２０ｑが取り付けられている。
【０１１２】
メダルの払出しが無い場合（すなわち、初期状態）、検出片６７は、２つの計数センサ６８のうち一方（例えば、計数センサ６８ａ）のみを遮光し、他方（例えば、計数センサ６８ｂ）は透光状態となる。メダルの払出しに伴い移動片２０ｑが移動すると、検出片６７が２つの計数センサ６８のうち他方（例えば、計数センサ６８ｂ）のみを遮光し、一方（例えば、計数センサ６８ａ）は透光状態となる。
【０１１３】
初期状態において、２つの計数センサ６８ａ，６８ｂのうち一方が遮光状態で、他方が透光状態となる。また、払出しに際して移動片２０ｑが移動した状態においても、２つの計数センサ６８ａ，６８ｂのうち他方のみが遮光状態で、一方が透光状態となる。いずれの場合においても、２つの計数センサ６８ａ，６８ｂの出力信号は、一方（又は他方）がＬｏｗとなり、他方（又は一方）がＨｉｇｈとなる。
【０１１４】
例えば、不正な電波を用いてセンサの誤検出を誘発する不正行為が行われると、１つの計数センサ６８ａ，６８ｂの出力信号は、両者ともＨｉｇｈ（又は両者ともＬｏｗ）となる。したがって、このホッパー２０では、電波による不正行為を迅速かつ確実に検知することができる。
【０１１５】
図２２は、このホッパー２０における放出口２０ｎ近傍のメダル厚み方向における断面図である。回転板２０ｊ側から送り出されたメダルＭは、固定片２０ｐ及び移動片２０ｑによって弾き出されて受皿１７側へと払い出される。
【０１１６】
放出口２０ｎにおけるメダル受け面２０ｒは、支持面７０と傾斜面７１とを有して構成されている。傾斜面７１は、金属等の導電性材料で構成されて接地されており、メダルＭが接触することによりメダルＭの帯電除去が可能となっている。傾斜面７１は、根元部７１ａで支持面７０よりも低くなり、先端部７１ｂが根元部７１ａよりも高くなるように傾斜している。
【０１１７】
押え板６４は少なくともメダル厚み以上の間隙をあけてメダル受け面２０ｒの上方に配置されており、その間隙にメダルＭの通過を許容している。押え板６４も金属等の導電性材料で構成されて接地されており、メダルＭの接触によりメダルＭの帯電除去が可能となっている。
【０１１８】
固定片２０ｐ及び移動片２０ｑによって弾き出されたメダルＭは、支持面７０から傾斜面７１へと送り出される。このとき、根元部７１ａが支持面７０よりも低くなっているので、メダルＭは、引っかかることなく傾斜面７１へと移動する。傾斜面７１は、根元部７１ａから先端部７１ｂに向けて上がり方向に傾斜しているので、傾斜面７１へと至ったメダルＭは、傾斜面７１から押え板６４方向への外力を受ける。その結果、メダルＭは、その排出速度によっては押え板６４に接触する。
【０１１９】
メダルＭの払出しの際、メダルＭは少なくとも傾斜面７１に接触することによって帯電除去される。そして、傾斜面７１から受ける外力によって、更に押え板６４にも接触して帯電除去されることがある。また、メダルＭは、押え板６４のみに接触して帯電除去されることもある。放出口２０ｎに傾斜面７１を配置することにより、スムーズな払出しと確実な帯電除去を実現することができる。
【０１２０】
＜Ｆ−１．電源ユニット＞
図２３は、この遊技機２の電源ユニット２４近傍を拡大して示す部分拡大図である。電源ユニット２４は、この遊技機２の各部に直流電源を供給するためのユニットである、電源ユニット２４は、遊技機２のキャビネット７内部における左下方近傍であって、ホッパー２０の左方側に配置され、キャビネット７の底板７ｊ上に載置されている。
【０１２１】
この電源ユニット２４の前面には、開閉可能な前面扉２４ａが設けられ、その扉内にオンオフスイッチ（不図示）が配置されている。電源ユニット２４は、電源のオンオフ機能を有しているが、リセットスイッチ、打止め有無スイッチ、設定値変更キー等の調整機能を有していない。したがって、この電源ユニット２４は汎用性が高く、他の様々な機種にも共通使用することができる。
【０１２２】
電源ユニット２４の前面には、入力エラー表示ＬＥＤ７３ａ、２４Ｖ表示ＬＥＤ７３ｂ、１２Ｖ表示ＬＥＤ７３ｃ、１２Ｖ−Ｓ表示ＬＥＤ７３ｄが配置されている。これらの表示ＬＥＤ７３ａ〜７３ｄは、遊技機２の各部への正常な電源供給の有無を表示するＬＥＤである。正常に電源供給されている場合には、入力エラー表示ＬＥＤ７３ａのみが消灯し、その他のＬＥＤ７３ｂ〜７３ｄは点灯する。
【０１２３】
入力エラー表示ＬＥＤ７３ａは、電源ユニット２４に、適切な電源が供給されている場合に消灯し、電源供給に異常がある場合に点灯する。２４Ｖ表示ＬＥＤ７３ｂは、電源ユニット２４で２４Ｖの直流電源が正常に生成されている場合に点灯し、異常がある場合に消灯する。１２Ｖ表示ＬＥＤ７３ｃは、メイン基板４５に１２Ｖの直流電源が正常に供給されている場合に点灯し、異常がある場合に消灯する。１２Ｖ−Ｓ表示ＬＥＤ７３ｄは、サブ基板４９に１２Ｖの直流電源が正常に供給されている場合に点灯し、異常がある場合に消灯する。
【０１２４】
電源ユニット２４は、底面を除く全体が樹脂の電源ケース７４で覆われており、その内部の電源基板７６や各種電子部品が保護されている。電源ケース７４は透明又は半透明とされており、電源ユニット２４に対して改造等の不正行為が行われた場合の早期発見に寄与している。
【０１２５】
図２４は、電源ユニット２４の外観斜視図である。図２４においては、電源ユニット２４を左前方斜め下から見ている。電源ユニット２４の底板２４ｃは、金属板で構成されており、この底板２４ｃが電源ユニット２４内部の電源基板７６のアースに接続されている。底板２４ｃは、電源ケース７４よりも前方に突出しており、その突出部分に取付孔２４ｄが形成されている。取付孔２４ｄは、電源ユニット２４をキャビネット７の金属フレームにネジ止めするためのネジ孔である。
【０１２６】
取付孔２４ｄが、電源ケース７４の外部に露出するように配置されているので、キャビネット７の金属フレームとのアース接続を容易に着脱することができ、メンテナンス性が向上している。また、電源基板７６のアースは、比較的大面積の底板２４ｃを介してキャビネット７の金属フレームに接地される。接地の安定性が高く、ノイズ低減に寄与している。
【０１２７】
底板２４ｃには、部分的に切り起こされたフィン２４ｅが多数形成されている。このフィン２４ｅにより、電源ケース７４内部と外部との空気の流通が可能となり、放熱が容易となる。また、電源ケース７４の背面側にも多数の空気孔（不図示）が開口形成されており、電源ケース７４内の冷却に寄与している。
【０１２８】
図２５（ａ）は、電源ユニット２４を右側方から見た側面図であり、（ｂ）はＢ−Ｂ断面図であり、（ｃ）はＣ−Ｃ断面図である。図２６は、電源ユニット２４を上方から見た平面図である。電源ユニット２４は、電源ケース７４内部に電源基板７６を有しており、電源基板７６上に大型コネクタ２４ｂが実装配置されている。この大型コネクタ２４ｂには配線４６ａが接続され、リール制御基板のコネクタ４６ｂを介してメイン基板４５やサブ基板４９に電力が供給されている。
【０１２９】
大型コネクタ２４ｂは、平面視略長方形状を呈しており、電源ケース７４の上面７４ａから露出している。電源ケース７４は、２つのケース（７４Ｌ，７４Ｒ）が電源基板７６を内部に収容し、左右から合わさるように締結されて構成されている。電源ケース７４の上面７４ａには、大型コネクタ２４ｂの長方形外周形状に沿うように略長方形状のコネクタ孔７４ｂが開口形成されている。コネクタ孔７４ｂの開口形状と大型コネクタ２４ｂの平面視形状とが略同形状とされており、大型コネクタ２４ｂとコネクタ孔７４ｂとの隙間が非常に狭くなるように構成されている。したがって、この隙間から電源ケース７４内への不正アクセスが有効に防止されている。
【０１３０】
また、コネクタ孔７４ｂの右側における電源ケース７４には、凹部７４ｃが形成されている。この凹部７４ｃは、大型コネクタ２４ｂの側面に沿うように配置されており、大型コネクタ２４ｂの右方向への移動を規制しつつ補強している。大型コネクタ２４ｂへ配線４６ａをコネクタ接続する際に大きな外力が加わっても、大型コネクタ２４ｂの右方向への不用意な移動は殆どない。大型コネクタ２４ｂが右方向から凹部７４ｃによって支持されているので、右方向への不用意な移動に起因する大型コネクタ２４ｂ又はその周囲の破損が有効に予防されている。
【０１３１】
電源ケース７４を構成する２つのケース（７４Ｌ，７４Ｒ）は、複数箇所（この遊技機２では４箇所）のネジ７５で相互に締結されている。そのネジ７５は、電源ユニット２４の左側から右方向へと両ケース（７４Ｌ，７４Ｒ）を締結しており、ネジ頭がケース７４Ｌ側、すなわち、左側面７４ｄ側に位置している。電源ユニット２４は、電源ケース７４の左側面７４ｄがキャビネット７の左側面７ｋと近接して配置された状態で、遊技機２内部に取り付けられる。したがって、遊技機２に電源ユニット２４を取り付けた状態で、ネジ７５のネジ頭にドライバの先端を差し込むことができず、この状態でネジ７５の取外しは殆ど不可能とされている。
【０１３２】
ケース７４Ｌには、ネジ７５に対応する位置にそれぞれザグリ部７７Ｌが凹状形成されており、ネジ頭がそのザグリ部７７Ｌ内に陥入するようになっている。したがって、左側面７４ｄからネジ頭が出っ張ってしまうことのないように構成されている。また、ネジ７５に各々対応する位置には、ケース７４Ｒ側にもザグリ部７７Ｒが凹状形成されている。したがって、ネジ７５の先端部が電源ケース７４の右側面７４ｅから突出してしまうことのないように構成されている。なお、ケース７４Ｒが樹脂ケースであるので、締結強度確保のためにネジ７５とケース７４Ｒとの螺合長はケースが金属の場合に比較して長く（例えば、１ｃｍ以上）確保されている。
【０１３３】
＜Ｇ−１．フロント枠全体構造＞
図２７は、この遊技機２のフロント枠８の分解斜視図である。フロント枠８は、フレーム８０に対して透明板８ａ、左右のサイドレンズユニット１８、上部レンズユニット１９、操作パネルユニット８３、中央パネルユニット８４、受皿１７が前方から取り付けられて大略構成されている。図２７では、中央パネルユニット８４以外をフレーム８０に対して分解して示している。
【０１３４】
図２８は、フレーム８０を斜め前方から見た外観斜視図である。フレーム８０は、外形が正面視略長方形状を呈しており、後方側に配置された金属製のフレーム部材（金属フレーム）３５とその前方に配置された樹脂製の樹脂フレーム３５ｂとを有している。フレーム８０は、最上方に位置する上部レンズユニット取付部８０ａ、その下方に位置する中央パネル取付部８０ｂ、その下方に位置する操作パネル取付部８０ｃ、最下方に位置する受皿取付部８０ｄを有している。フレーム８０における中央パネル取付部８０ｂの上下には、左右に延びてフレーム８０を補強する補強梁部８１、８２が各々配置されている。
【０１３５】
透明板８ａは、アクリル、ポリカーボネート等の透明樹脂で形成された正面視略長方形状の平板部材であって、リール１１〜１３を遊技機２外部から視認可能としつつ、遊技機２内部へのアクセスを防止する機能を有する。透明板８ａは、中央パネルユニット８４の左右両側に２箇所ずつ、合計４箇所に形成された取付フック８４ａに係止されて取り付けられるようになっている。
【０１３６】
フレーム８０に対する各ユニットの取付手順は、まずフレーム８０の中央パネル取付部８０ｂに対し中央パネルユニット８４を後方からネジで締結し、その中央パネルユニット８４の取付フック８４ａに透明板８ａを前方から係止する。その後、左右のサイドレンズユニット１８をフレーム８０に対して前方から取り付け、操作パネルユニット８３を操作パネル取付部８０ｃに前方から取り付ける。そして、受皿１７を受皿取付部８０ｄに前方から取り付け、上部レンズユニット１９を上部レンズユニット取付部８０ａに前方から取り付ける。
【０１３７】
フレーム８０の前面側を、透明板８ａ、上部レンズユニット１９、サイドレンズユニット１８、操作パネルユニット８３、受皿１７が覆うように取り付けられており、各部の隙間が狭くなるように構成されている。したがって、遊技者側（前面側）から遊技機２内部へのアクセスは困難とされている。
【０１３８】
図２９は、右側のサイドレンズユニット１８を斜め後方から見た外観斜視図である。左側のサイドレンズユニット１８については、右側のものと左右対称の構造をしており、取付方法も略同様であるので、説明を省略する。
【０１３９】
サイドレンズユニット１８の側面１８ａ，１８ｂは、後方に向けて延長されており、その結果サイドレンズユニット１８の後面側の水平断面は、大略コ字状となっている。サイドレンズユニット１８の側面１８ａ，１８ｂ及び後面で囲まれたコ字状部分を内面と称することとする。
【０１４０】
サイドレンズユニット１８の内面における上部近傍には、上面１８ｃ側と側面１８ａ側とに各々フック１８ｄが形成されている。そして、サイドレンズユニット１８の底面１８ｅには、下方に突出する係止片１８ｆが形成されている。更に、サイドレンズユニット１８の後面には、後方に向けて突出する複数のボス１８ｇが配置されている。
【０１４１】
係止片１８ｆをフレーム８０における係止孔８０ｅに上方から挿入し、フック１８ｄをフレーム８０の上側頂部近傍に配置された２箇所のフック８０ｆに前方から係合させることで、サイドレンズユニット１８をフレーム８０に対し仮固定することができる。その後、フレーム８０の後方から、複数のボス１８ｇに形成されたネジ穴に、フレーム８０を介してネジを螺合することにより、フレーム８０に対するサイドレンズユニット１８の取付けが完了する。
【０１４２】
図３０は、操作パネルユニット８３を斜め後方から見た外観斜視図である。操作パネルユニット８３の左右側面８３ａには、後方に向けて突出するフック８３ｂが形成されている。また、操作パネルユニット８３の後面側には、後方に向けて突出する複数のボス８３ｃが配置されている。
【０１４３】
フレーム８０の操作パネル取付部８０ｃには、左右２箇所に係合孔８０ｇが形成されている。左右２箇所の係合孔８０ｇに対し、左右２箇所のフック８３ｂを前方から係合させることにより、操作パネルユニット８３をフレーム８０に対し仮固定することができる。その後、フレーム８０の後方から、複数のボス８３ｃに形成されたネジ穴に、フレーム８０を介してネジを螺合することにより、フレーム８０に対する操作パネルユニット８３の取付けが完了する。
【０１４４】
フレーム８０の操作パネル取付部８０ｃにおいては、樹脂フレーム３５ｂが、操作パネルユニット８３の側面８３ａとサイドレンズユニット１８の側面１８ｂとの隙間部分を遮蔽するように配置されている。したがって、操作パネルユニット８３とサイドレンズユニット１８との隙間部分から遊技機２内部に異物を挿入しようとしても樹脂フレーム３５ｂによってその異物の挿入が防止されている。
【０１４５】
図３１は、受皿１７の一部（右側部分）を斜め後方から見た部分斜視図である。受皿１７の後面側には側面近傍位置にフック１７ａが形成されている。図３１には一方のフック１７ａのみが示されているが、左右両側に２箇所のフック１７ａが後方に突出形成されている。また、受皿１７の後面側には、複数のネジ穴１７ｂが形成されている。
【０１４６】
フレーム８０の受皿取付部８０ｄには、左右２箇所にフック８０ｈ（図２８において、左側のフック８０ｈは図示省略）が形成されている。左右２箇所のフック１７ａをフック８０ｈに前方から係合することにより、受皿１７をフレーム８０に対し仮固定することができる。その後、フレーム８０の後方から、複数のネジ穴１７ｂに、フレーム８０を介してネジを螺合することにより、フレーム８０に対する受皿１７の取付けが完了する。
【０１４７】
図３２は、上部レンズユニット１９を斜め後方から見た外観斜視図である。上部レンズユニット１９の左右側面１９ａには、後方に向けて突出するフック１９ｂが形成されている。また、上部レンズユニット１９の後面側には、後方に向けて突出する複数のボス１９ｃが配置されている。
【０１４８】
左右のサイドレンズユニット１８には、フレーム８０に取り付けた際に中央寄りとなる側面１８ｂにおける上部近傍位置に、各々取付ガイド１８ｈが形成されている。取付ガイド１８ｈは、上下に規制壁１８ｊを有しており、その間隔がフック１９ｂの上下幅寸法よりも若干大きく形成されている。この取付ガイド１８ｈは、サイドレンズユニット１８をフレーム８０に取り付けた際に、上部レンズユニット取付部８０ａの近傍に位置し、左右のフック１９ｂに対応する位置に配置されている。
【０１４９】
サイドレンズユニット１８をフレーム８０に取り付けた状態で、上部レンズユニット１９を前方から上部レンズユニット取付部８０ａに取り付けると、左右２箇所のフック１９ｂが左右２箇所の取付ガイド１８ｈによって上下位置を規制された状態で係止される。左右２箇所の取付ガイド１８ｈに対し、左右２箇所のフック１９ｂを前方から係止させることにより、上部レンズユニット１９をフレーム８０に対し仮固定することができる。その後、フレーム８０の後方から、複数のボス１９ｃに形成されたネジ穴に、フレーム８０を介してネジを螺合することにより、フレーム８０に対する上部レンズユニット１９の取付けが完了する。
【０１５０】
なお、この遊技機２は、フレーム８０に対して中央パネルユニット８４、透明板８ａ、サイドレンズユニット１８、操作パネルユニット８３、受皿１７、上部レンズユニット１９の順で取り付けることにより組み立てられる。特に、先に透明板８ａを取り付けてからサイドレンズユニット１８を取り付けること、先にサイドレンズユニット１８を取り付けてから上部レンズユニット１９を取り付けること、が必要であり、この手順に従い組み立てないと遊技機２が完成しない。逆に、取外しの際は、フレーム８０から上部レンズユニット１９、受皿１７、操作パネルユニット８３、サイドレンズユニット１８、透明板８ａ、中央パネルユニット８４の順で取り外す必要がある。特に、上部レンズユニット１９を取り外した後にサイドレンズユニット１８を取り外すこと、サイドレンズユニット１８を取り外した後に透明板８ａを取り外すこと、が必要であり、この手順に従い取外しを行わないと遊技機２を分解することができない。
【０１５１】
＜Ｇ−２．操作パネルユニット取付構造＞
図３３は、フロント枠８における操作パネルユニット８３近傍を分解して示す分解斜視図である。図３３においては、一部の構成部品を省略している。操作パネルユニット８３は、操作パネル本体８３ｄに対し、前方から下マスクユニット８５が取り付けられて構成されている。フレーム８０の受皿取付部８０ｄ近傍には、前方から受皿ベースプレート８６が取り付けられている。その受皿ベースプレート８６のさらに前方に、操作パネルユニット８３とその下方に位置する受皿１７とが取り付けられている。
【０１５２】
フレーム８０の受皿取付部８０ｄ近傍には、下部スピーカユニット８８用の開口８７が２箇所開口形成されており、その２箇所の開口８７に各々対応して、後方から下部スピーカユニット８８が取り付けられている。下部スピーカユニット８８は、網板８８ａ、下部スピーカ８８ｂ、後方カバー８８ｃを有しているが、詳細は後述する。
【０１５３】
図３４は、フロント枠８における受皿ベースプレート８６近傍を拡大して示す拡大斜視図である。図３４においては、下マスクユニット８５及び受皿１７を省略している。受皿ベースプレート８６は、金属で形成された平板状のプレート部材であって、受皿取付部８０ｄにおいてフレーム８０の前面側に取り付けられている。
【０１５４】
受皿ベースプレート８６には、２箇所の下部スピーカ８８ｂの放音部（コーン紙部分）に対応するように、放音孔８６ａが多数開口形成されている。放音孔８６ａは、放音効果を高めつつ、前方からの異物の挿入等の不正アクセスを防止すべく、多数の小径孔の集合体として構成されており、全体として下部スピーカ８８ｂの放音部形状と同様に円形とされている。
【０１５５】
操作パネル本体８３ｄの底面８３ｅの一部には、放音孔８６ａに対応して曲面状の凹部８３ｆが形成されている。凹部８３ｆは、図に示すように、放音孔８６ａの一部を囲むように位置している。底面８３ｅに凹部８３ｆを形成することにより、下部スピーカ８８ｂを大口径のものとしても放音孔８６ａの一部が塞がれてしまわずに済み、音質向上を図ることができる。しかも、大口径の下部スピーカ８８ｂを採用しつつも操作パネル本体８３ｄの高さ寸法を大きくとることができる。その結果、下マスクユニット８５を大面積とすることができ、この部分に表示される意匠デザインや文字等の情報を目立たせることができる。
【０１５６】
図３５は、操作パネルユニット８３における下マスクユニット８５近傍の分解斜視図である。下マスクユニット８５は、内側マスク８５ａ、意匠プレート８５ｂ、外側マスク８５ｃを有している。内側マスク８５ａ及び外側マスク８５ｃは、透明又は半透明の樹脂で形成されており、これらによって意匠プレート８５ｂを挟み込んで保持するようになっている。
【０１５７】
意匠プレート８５ｂは、キャラクタ等の意匠デザインや文字等の情報が記載された表示用部材であって、例えば、透明フィルム上に印刷が施されて構成される。２つのマスク８５ａ，８５ｃによって意匠プレート８５ｂを挟持する構成となっているので、意匠プレート８５ｂの交換を容易に行うことができる。内側マスク８５ａと外側マスク８５ｃとは、曲面形状を呈するように構成されており、その曲面部分に意匠プレート８５ｂを挟持するようになっている。外側マスク８５ｃに形成された凹部８５ｄに内側マスク８５ａに形成された凸部８５ｅが嵌入することにより両マスクが係合されて一体化する。内側マスク８５ａに後方突出するように形成された係合フック８５ｆが、操作パネル本体８３ｄに形成された係合凹部（不図示）に係合されることにより、下マスクユニット８５が操作パネル本体８３ｄへと取り付けられる。
【０１５８】
操作パネル本体８３ｄには、凹室８９が形成されている。凹室８９内には、前方に向けて照明光を発光するＬＥＤ基板９０が２つ配置されている。凹室８９の前方に下マスクユニット８５が取り付けられるようになっており、このＬＥＤ基板９０からの照明光によって下マスクユニット８５の意匠プレート８５ｂが後方から照明される。
【０１５９】
ＬＥＤ基板９０は、着脱容易な方法で凹室８９内に取り付けられている。すなわち、ＬＥＤ基板９０には、その左端近傍に位置決めのための位置決め孔９０ａが開口形成されている。凹室８９内には、ＬＥＤ基板９０の右端部を保持する側方保持片８９ａ、ＬＥＤ基板９０の中央近傍を保持する中央保持片８９ｂ、ＬＥＤ基板９０の位置決め孔９０ａに挿入される位置決め突部８９ｃが形成されている。
【０１６０】
ＬＥＤ基板９０の右端部を側方保持片８９ａ部分に挿入し、ＬＥＤ基板９０の中央近傍を中央保持片８９ｂに保持させ、位置決め突部８９ｃをＬＥＤ基板９０の位置決め孔９０ａに挿入することにより、凹室８９内へＬＥＤ基板９０が取り付けられる。
【０１６１】
更に、ＬＥＤ基板９０の位置決め孔９０ａ近傍位置において、押さえ部材９１によってＬＥＤ基板９０を保持するようになっている。押さえ部材９１は、縦長の樹脂部材であって、上下に２つの係止フック９１ａを有している。凹室８９内の対応位置に形成された２つの係止孔８９ｄに係止フック９１ａを係止することにより、ＬＥＤ基板９０が前方に落下することなく保持されるようになっている。
【０１６２】
＜Ｇ−３．スピーカ構造＞
図３６は、フロント枠８ａにおける下部スピーカユニット８８近傍を分解して示す分解斜視図である。図３６においては、フロント枠８ａを右斜め後方から矢視している。下部スピーカユニット８８は、遊技機２における種々の演出音声、通知音声を遊技者に向けて報知するためのものである。
【０１６３】
下部スピーカユニット８８は、受皿取付部８０ｄの近傍であって、受皿ベースプレート８６の裏側に、フレーム８０の後方から左右２箇所に取り付けられている。樹脂フレーム３５ｂの後面側にはスピーカ取付枠３５ｃが形成されており、そのスピーカ取付枠３５ｃの内部が前後方向に貫通開口している。その貫通開口部分に受皿ベースプレート８６の放音孔８６ａが位置するように配置されている。
【０１６４】
下部スピーカユニット８８は、網板８８ａ、下部スピーカ８８ｂ、後方カバー８８ｃを有して大略構成され、後方カバー８８ｃと下部スピーカ８８ｂとが、スピーカ取付枠３５ｃにネジで共締めされている。
【０１６５】
網板８８ａは、例えば細い金属線をシート状に網目形成した多孔の金属シートである。前方への音声伝達を実現しつつ、前方（遊技者側）からの下部スピーカ８８ｂへの不正アクセスを防止している。網板８８ａは、スピーカ取付枠３５ｃの貫通開口部分にセットされ、放音孔８６ａの後方に配置される。そして、網板８８ａの後方に下部スピーカ８８ｂのコーン紙（不図示）が位置するようになっている。
【０１６６】
下部スピーカ８８ｂは、遊技機２の演出音声、通知音声を報知するための発音素子である。公知のスピーカと同様に、永久磁石、コイル、コーン紙等を有して形成されている。
【０１６７】
後方カバー８８ｃは、下部スピーカ８８ｂの後方を覆うための樹脂カバーである。後方カバー８８ｃは、この遊技機２で用いられる遊技媒体（メダル等）が下部スピーカ８８ｂの主要部に接触してしまうことにより、ショートやコーン紙損傷等の不具合が発生するのを防止するためのものである。また、下部スピーカ８８ｂに対する外部からの不正アクセスも防止している。後方カバー８８ｃは、透明又は半透明の樹脂で形成され、内部の下部スピーカ８８ｂを外部から視認可能としている。そのため、下部スピーカ８８ｂに対して万一不正行為が行われた場合でも、早期発見を容易としている。
【０１６８】
後方カバー８８ｃは、その後面側の中央部分に開口部８８ｄを有している。この開口部８８ｄから下部スピーカ８８ｂの後面８８ｅが突出している。開口部８８ｄと後面８８ｅとの間には遊技媒体が通過できない程度の隙間が形成されている。この隙間は、下部スピーカ８８ｂからの音声を効率的に遊技者に伝達するための空気通路として機能している。遊技媒体は隙間を通過できないので、隙間を介して遊技媒体が後方カバー８８ｃ内部へ侵入することは防止されている。
【０１６９】
図３７は、上部スピーカユニット９３を分解して示す分解斜視図である。図３７においては、上部レンズユニット１９における透明板９２ａ近傍のみを右斜め後方から矢視して図示し、その他の構成部品の図示を省略している。上部レンズユニット１９の後方には、上部スピーカユニット９３が左右２箇所に取り付けられている。この上部スピーカユニット９３も、下部スピーカユニット８８と同様に、遊技機２における種々の演出音声、通知音声を遊技者に向けて報知するためのものである。
【０１７０】
上部スピーカユニット９３は、上部レンズユニット１９の後面側の左右２箇所に配置された取付台座１９ｄにネジ止めされている。上部スピーカユニット９３は、網板９３ａ、上部スピーカ９３ｂ、後方カバー９３ｃを有して大略構成される。後方カバー９３ｃと上部スピーカ９３ｂとが取付台座１９ｄにネジで共締めされている。
【０１７１】
網板９３ａは、形状は異なるが、その構成及び機能は網板８８ａと略同様である。網板９３ａは取付台座１９ｄで囲まれた開口部分にセットされる。網板９３ａの前方には、放音孔（不図示）が配置されており、遊技者へ向けての効率的な放音と上部スピーカ９３ｂへの不正アクセス防止を実現している。網板９３ａの後方に上部スピーカ９３ｂのコーン紙９３ｄが位置するようになっている。
【０１７２】
上部スピーカ９３ｂは、遊技機２の演出音声、通知音声を発音するための発音装置であって、形状は異なるが、下部スピーカ８８ｂと略同様の構成である。
【０１７３】
後方カバー９３ｃは、上部スピーカ９３ｂの後方を覆うための樹脂カバーである。図３８は、上部スピーカ９３ｂと後方カバー９３ｃとの取付状態を示す図であって、（ａ）は斜視図、（ｂ）は断面図である。
【０１７４】
後方カバー９３ｃは、この遊技機２で用いられる遊技媒体（メダル等）が上部スピーカ９３ｂの主要部に接触してしまうことにより、ショートやコーン紙９３ｄ損傷等の不具合が発生するのを防止するためのものである。また、上部スピーカ９３ｂへの外部からの不正アクセスも防止している。後方カバー９３ｃは、透明又は半透明の樹脂で形成され、内部の上部スピーカ９３ｂを外部から視認可能としている。そのため、上部スピーカ９３ｂに対して万一不正行為が行われた場合でも、早期発見を容易としている。
【０１７５】
後方カバー９３ｃは、その後面側の中央部分に開口部９３ｅを有している。この開口部９３ｅと上部スピーカ９３ｂの後面９３ｆとの間には、遊技媒体が通過できない程度の隙間９４ａが形成されている。この隙間９４ａは、上部スピーカ９３ｂからの音声を効率的に遊技者に伝達するための空気通路として機能している。遊技媒体は隙間９４ａを通過できないので、隙間９４ａを介して遊技媒体が後方カバー９３ｃの内部９３ｈへ侵入することは防止されている。
【０１７６】
上部スピーカ９３ｂの前面部分における取付板９３ｇと後方カバー９３ｃにおける前面開口との間にも、隙間９４ｂが形成されている。この隙間９４ｂ近傍においては、取付台座１９ｄも一段低く形成されており、後方カバー９３ｃ内部９３ｈから隙間９４ｂを介して上部スピーカユニット９３外部へと空気経路が形成されている。この隙間９４ｂを介した空気経路によっても、上部スピーカ９３ｂからの音声が効率よく遊技者に伝達できるようになっている。もちろん、この隙間９４ｂを介して遊技媒体が後方カバー９３ｃ内部へ侵入することは防止されている。
【０１７７】
＜Ｇ−４．錠前ユニット＞
図３９は、フロント枠８ａにおける鍵穴１０近傍を斜視した拡大斜視図である。鍵穴１０は、操作パネルユニット８３の前面右側で、メダル投入口４の下方位置に配置されている。鍵穴１０に枠開閉用の鍵を差し込み、回転させるとキャビネット７とフロント枠８ａとの施錠状態が解除され、フロント枠８ａが前方開閉可能となる。鍵穴１０は、後述するキーシリンダ９８ａの前面に形成されている。鍵穴１０の後方側には、錠前ユニット９６が配置されている（図４０も参照）。
【０１７８】
図４０は、錠前ユニット９６の概略構成を示す分解図である。図４０においては、フロント枠８ａにおけるフレーム８０部分を左斜め後方から矢視している。錠前ユニット９６は、リンクユニット９７、シリンダユニット９８、後方カバー９９を有して大略構成されている。
【０１７９】
リンクユニット９７は、内部に各種リンク機構、ステー部材等を有しており、その一部がシリンダユニット９８の回転カム９８ｃと係合している。鍵の回転によって回転カム９８ｃが回転することにより、リンクユニット９７内のステー部材が上下移動し、キャビネット７とフロント枠８ａとの施錠状態・解錠状態を実現している。リンクユニット９７は、ユニット本体９７ａに対してキーシリンダ保持ステー９７ｂが略直交方向に取り付けられて構成されている。キーシリンダ保持ステー９７ｂには、挿入孔９７ｃが開口形成されており、挿入孔９７ｃにキーシリンダ９８ａが挿入されるようになっている。
【０１８０】
シリンダユニット９８は、キーシリンダ９８ａ、取付板９８ｂ、回転カム９８ｃを有して大略構成される。キーシリンダ９８ａは、前面に鍵穴１０が形成され、内部に錠前機構（整合する鍵が挿入された場合に回転を許容し、整合しない鍵が挿入された場合に回転を許容しない機構）を有する円柱状機構部品である。
【０１８１】
キーシリンダ９８ａの後方には、取付板９８ｂが配置されている。取付板９８ｂは、キーシリンダ９８ａを前後に延長する方向で保持し、シリンダユニット９８をキーシリンダ保持ステー９７ｂに取り付けるためのものである。
【０１８２】
取付板９８ｂの更に後方には、回転カム９８ｃが配置されている。回転カム９８ｃは、キーシリンダ９８ａの内部機構と連動しており、キーシリンダ９８ａに整合する鍵が挿入された場合に鍵によって回転する。その回転動作がリンクユニット９７に伝達され、施錠・解錠動作が可能となっている。取付板９８ｂがキーシリンダ保持ステー９７ｂに取り付けられると、キーシリンダ９８ａは、挿入孔９７ｃを貫通して、樹脂フレーム３５ｂに形成された円筒カバー３５ｄ内に挿入されるようになっている。
【０１８３】
シリンダユニット９８の後方には、後方カバー９９が取り付けられる。この後方カバー９９は、樹脂で形成されており、上下に２箇所の取付孔（不図示）が形成されている。この取付孔及び取付板９８ｂの取付孔９８ｄを介してキーシリンダ保持ステー９７ｂのネジ穴９７ｄにネジが取り付けられ、後方カバー９９と取付板９８ｂは、キーシリンダ保持ステー９７ｂに共締めされている。
【０１８４】
後方カバー９９がシリンダユニット９８の後方を覆うようにネジで取り付けられているので、不正行為等によってキーシリンダ９８ａごと交換しようとしても、交換作業を容易に行うことができない。そのため、キーシリンダ９８ａの交換による不正行為を後方カバー９９が有効に防止している。一方、後方カバー９９は、ドライバによって簡単に取り外すことができるので、メンテンナンス等においてキーシリンダ９８ａの交換作業を行う際には、さほど作業が煩雑となることはない。
【０１８５】
キーシリンダ９８ａの後面側には、鍵変更レバー９８ｅが配置されている。後方カバー９９には、鍵変更レバー９８ｅに対応する部分に、比較的小サイズの窓部９９ａが開口形成されている。この窓部９９ａが小サイズとされているので、キーシリンダ９８ａの不正交換を防止しつつも外部からの鍵変更レバー９８ｅの操作を可能としている。
【０１８６】
図４１は、フレーム８０の右上部近傍を右斜め後方から見た斜視図である。図４１においては、フレーム部材３５のうちトップフレーム３５ｅを後方に分解して示している。
【０１８７】
トップフレーム３５ｅは、フレーム８０の上部近傍において左右方向に延設され、フレーム８０を補強する金属製のアングル部材である。トップフレーム３５ｅの右端部３５ｆは、部分的に切り欠かれた切欠き部とされており、この切欠き部がリンクユニット９７のユニット本体９７ａにおける上端部９７ｅを避ける形状とされている。そのため、この遊技機２においては、錠前ユニット９６を取り付けた後にトップフレーム３５ｅの取付け・取外しが可能となっており、メンテナンス性が向上している。
【０１８８】
図４２は、シリンダユニット９８における断面図である。キーシリンダ９８ａは、円筒カバー３５ｄ内に挿入されているが、円筒カバー３５ｄの内径とキーシリンダ９８ａの外径とが、近い直径値とされており、両者の隙間１００が狭くなっている。そのため、この隙間１００を通ってピアノ線等の不正具が遊技者側（前方側）からフレーム裏面側（後方側）へと侵入することは、困難とされている。キーシリンダ９８ａ近傍における不正行為が有効に防止されている。
【０１８９】
＜Ｇ−５．ベットボタンユニット＞
図４３は、操作パネルユニット８３の分解斜視図である。操作パネルユニット８３の膨出部８ｂの上面には、化粧プレート１０１を介してベットボタンユニット１０２が取り付けられている。
【０１９０】
図４４は、ベットボタンユニット１０２の拡大斜視図である。ベットボタンユニット１０２は、遊技者が、遊技に際して操作するための各種ボタンが配置されたボタンユニットであって、ＭＡＸベットボタン５ａ、最小ベットボタン５ｂ、精算ボタン１４を有している。ＭＡＸベットボタン５ａは、１回の遊技（リールの回転停止遊技）において、最大枚数のメダル（例えば、３枚のメダル）を賭ける場合に遊技者が押すためのボタンである。最小ベットボタン５ｂは、１回の遊技において、最小枚数のメダル（例えば、１枚のメダル）を賭ける場合に遊技者が押すためのボタンである。精算ボタン１４は、遊技の終了時等に遊技者が押すためのボタンであって、この精算ボタン１４を押すことにより、遊技機２内にクレジット（保留）されていたクレジット枚数のメダルが受皿１７に払い出される。
【０１９１】
ベットボタンユニット１０２においては、ＭＡＸベットボタン５ａのボタン面高さが最も高くされており、最小ベットボタン５ｂや精算ボタン１４のボタン面高さは、ＭＡＸベットボタン５ａよりも低くされている。したがって、ＭＡＸベットボタン５ａを押そうとした遊技者が、間違って最小ベットボタン５ｂや精算ボタン１４を押してしまうような操作ミスが防止される。
【０１９２】
図４５は、ベットボタンユニット１０２の膨出部８ｂへの取付け状態を示す構造図である。図４５においては、操作パネルユニット８３を裏面側より前方に、下から覗き込むように矢視している。図４６は、ベットボタンユニット１０２を下面側から見た外観斜視図である。ベットボタンユニット１０２は、ユニット本体１０２ａの下面側に、押さえ部材１０２ｂ、スイッチユニット１０２ｃ、爪部材１０２ｄが取り付けられている。図４７は、ベットボタンユニット１０２のユニット本体１０２ａを省略して上方から見た斜視図である。爪部材１０２ｄの上面側にはセンサ本体１０２ｅがネジで固定されている。
【０１９３】
ユニット本体１０２ａは、このベットボタンユニット１０２の上面及び外郭を構成する樹脂部材である。ユニット本体１０２ａには、ＭＡＸベットボタン５ａ、最小ベットボタン５ｂ、精算ボタン１４が押下可能に取り付けられている。ＭＡＸベットボタン５ａの下方位置には、センサ本体１０２ｅを収納する筒状部１０２ｆが形成されている。
【０１９４】
押さえ部材１０２ｂは、最小ベットボタン５ｂ及び精算ボタン１４を付勢するバネを保持するための部材である。その押さえ部材１０２ｂの下方には、スイッチユニット１０２ｃが配置されている。スイッチユニット１０２ｃは、最小ベット用スイッチ１０２ｇ、精算用スイッチ１０２ｈを有しており、各々が最小ベットボタン５ｂから下方に延設された操作片（不図示）及び精算ボタン１４から下方に延設された操作片（不図示）によって押下可能となっている。最小ベットボタン５ｂが押下されると、最小ベット用スイッチ１０２ｇが操作片によって押下され、ボタン押下が検出されるようになっている。また、精算ボタン１４が押下されると精算用スイッチ１０２ｈが操作片によって押下され、ボタン押下が検出されるようになっている。
【０１９５】
センサ本体１０２ｅは、ＭＡＸベットボタン５ａの押下を検出するためのセンサ１０２ｊとＬＥＤ１０２ｋとを有している。センサ１０２ｊは投受光センサとされており、ＭＡＸベットボタン５ａから下方に延設された検出片（不図示）が凹部１０２ｍを進退することにより、ボタン押下が検出できるように構成されている。
【０１９６】
ＬＥＤ１０２ｋは、ＭＡＸベットボタン５ａを下から照明するための照明光源である。ＭＡＸベットボタン５ａは、全部又は一部が透明又は半透明とされて、例えば、意匠や文字等が印刷されている。ＬＥＤ１０２ｋにより下方から遊技者に向けてＭＡＸベットボタン５ａを照明すると、その表面に施された意匠や文字等が浮かび上がるように演出照明される。
【０１９７】
センサ本体１０２ｅにおいては、センサ１０２ｊとＬＥＤ１０２ｋとが、樹脂でモールドされ一体化されている。また、その後面側にコネクタ１０２ｎも一体的に樹脂モールドされており、センサ本体１０２ｅは、全体として電子基板を有さない基板レス構造とされている。
【０１９８】
爪部材１０２ｄは、ベットボタンユニット１０２全体を膨出部８ｂ上面に係合するための部材であって、膨出部８ｂに係合する爪部１０２ｐを有している。一端部近傍において係止孔１０２ｑを有してユニット本体１０２ａのフック１０２ｒに係止され、他端部近傍において取付孔１０２ｓを有してユニット本体１０２ａにネジ止めされるようになっている。つまり、係止孔１０２ｑによる係止と、取付孔１０２ｓによるネジ止めという、２箇所で２種類の取付態様でユニット本体１０２ａに取り付けられている。
【０１９９】
ベットボタンユニット１０２は、爪部１０２ｐによって膨出部８ｂに係合した上で、２箇所のネジ１０３ａ，１０３ｂで膨出部８ｂの裏面側に取り付けられている。ネジ１０３ａは、ユニット本体１０２ａの取付孔１０２ｔを膨出部８ｂに取り付ける。ネジ１０３ｂは、爪部材１０２ｄの取付孔１０２ｕを膨出部８ｂに取り付ける。
【０２００】
２箇所のネジ１０３ａ，１０３ｂによって、ユニット本体１０２ａと爪部材１０２ｄという２種類の部材をネジ止めすることにより、ベットボタンユニット１０２全体を膨出部８ｂに固定している。ベットボタンユニット１０２の膨出部８ｂからの取外しを複雑化することにより、不正行為（ベットボタンユニット１０２の不正な取外し行為）を行い難くしている。
【０２０１】
＜Ｇ−６．ストップボタンユニット＞
図４３に示すように、膨出部８ｂの前面側には、ストップボタンユニット１０４が前方から取り付けられている。ストップボタンユニット１０４は、前面パネル１０５上に３つのストップボタン２１〜２３が配置されている。各ストップボタン２１〜２３は、スタートレバー３の操作によって回転を開始した各リール１１〜１３の回転を停止させるためのボタンである。
【０２０２】
図４８は、ストップボタンユニット１０４を右斜め後方から見た外観斜視図である。ストップボタンユニット１０４は、前面パネル１０５の後方にセンサユニット１０６がネジ１０７により固定されている。すなわち、ネジ１０７を取り外すことにより、ストップボタン２１〜２３が配された前面パネル１０５の部分とセンサユニット１０６の部分とに分離することができる。
【０２０３】
膨出部８ｂの前面側に取り付けられるストップボタン２１〜２３が配された前面パネル１０５部分がセンサユニット１０６部分から簡単に分離可能とされているので、遊技者に視認される部分の意匠デザイン等が容易に変更可能となっている。
【０２０４】
図４９は、センサユニット１０６部分を右斜め前方から見た斜視図である。図４９においては、ストップボタンユニット１０４における前面パネル１０５及びストップボタン２１〜２３を省略している。
【０２０５】
センサユニット１０６の前面には、ストップボタン２１〜２３に各々対応する位置に凹室１０６ａ〜１０６ｃが形成され、その凹室１０６ａ〜１０６ｃ内にそれぞれセンサ本体１０８が配置されている。このセンサ本体１０８は、センサ本体１０２ｅと略同様の構成とされている。すなわち、センサ（不図示）とＬＥＤ１０９とが樹脂でモールドされて一体化され、基板レス構造とされている。センサは例えば投受光センサであり、後述する支持部材１１１の後方に延設された検出片（不図示）が検出領域を進退することにより、ストップボタン２１〜２３の押下を検出するようになっている。
【０２０６】
凹室１０６ａ〜１０６ｃ内には、バネ１１０により前方に向けて付勢された支持部材１１１が前後移動可能に収納されている。この支持部材１１１がストップボタン２１〜２３の後方を前方に付勢しつつ支持し、押下されたストップボタン２１〜２３の復帰を実現している。そして、ストップボタン２１〜２３の前後移動と支持部材１１１の前後移動とが同期している。バネ１１０や支持部材１１１等の機構部品もセンサユニット１０６側に配置されているので、ストップボタンユニット１０４の意匠変更の際には、最小限の部品（前面パネル１０５及びストップボタン２１〜２３）を変更すれば足りる。
【０２０７】
図４５にストップボタンユニット１０４が膨出部８ｂに取り付けられた状態が示されている。図４５では、膨出部８ｂを後方から見ている。ストップボタンユニット１０４の後面には、センサ本体１０８に樹脂モールドされたコネクタ１１２が配置されている。ストップボタンユニット１０４は、膨出部８ｂの前方から取り付けられ、後方から左右２箇所のネジで膨出部８ｂに固定される。
【０２０８】
図４５においては、ストップボタンユニット１０４を固定する左側のネジ１１３が示されている。右側のネジは示されていないが、右側のネジを挿入するために膨出部８ｂ後方に突出形成された中空ボス１１４が示されている。この中空ボス１１４の後方側には、メダル投入口４から投入されたメダルを受け入れるセレクタユニット（図４５においては図示省略）が取り付けられている。したがって、セレクタユニットの取付状態においては、中空ボス１１４内のネジにアクセスできないようになっている。キャビネット７に対してフロント枠８を開放しただけでは、ストップボタンユニット１０４の取外しができず、ストップボタンユニット１０４の取外しによる不正行為が簡単には行えないようになっている。
【０２０９】
＜Ｇ−７．セレクタユニット＞
図５０は、この遊技機２におけるセレクタユニット１１５近傍の分解斜視図である。図５０においては、フレーム８０の右側近傍を左斜め後方から矢視している。セレクタユニット１１５は、膨出部８ｂの裏面側付近に取り付けられており、メダル投入口４の下方に位置している。
【０２１０】
メダル投入口４が開口形成された投入口ユニット４ｐの下方であって、樹脂フレーム３５ｂの裏面側には、セレクタユニット取付ブラケット１１６が取り付けられている。セレクタユニット取付ブラケット１１６は、例えば板金で構成されたブラケット部材であって、大略形状が後方に開口するコ字状とされている。
【０２１１】
セレクタユニット取付ブラケット１１６の上部には、２箇所の取付孔１１６ａと位置決め孔１１６ｂとが形成されている。投入口ユニット４ｐの位置決め凸部４ｂが位置決め孔１１６ｂに挿入され、投入口ユニット４ｐのネジ穴４ａに取付孔１１６ａを介してネジが取り付けられることによって投入口ユニット４ｐがセレクタユニット取付ブラケット１１６にネジ止めされている。位置決め凸部４ｂ及び位置決め孔１１６ｂを用いて取り付けられるので、セレクタユニット取付ブラケット１１６に対して位置精度よく投入口ユニット４ｐを取り付けることができる。
【０２１２】
セレクタユニット１１５は、メダル投入口４から投入されたメダルを受け入れて各種処理を行うユニットである。図５１はセレクタユニット１１５内部のメダル通路１１５ｂを示す内部構造図である。図５１においては、本体部１１５ｆと蓋部１１５ｇとを開放した状態を示しているが、通常使用状態においては、両者が閉鎖されることにより、後述する導入口１１５ａ、メダル通路１１５ｂ、導出口１１５ｃ、排出口１１５ｄが構成される。
【０２１３】
適正なメダルが導入口１１５ａから導入されると、メダルはメダル通路１１５ｂを通って導出口１１５ｃからホッパー２０へと至るようになっている。また、不正なメダル（例えば、直径の異なるメダル）が導入口１１５ａから導入されると、メダル通路１１５ｂの途中で流路が切り替えられて、排出口１１５ｄから排出されて受皿１７へと至るようになっている。
【０２１４】
その他、セレクタユニット１１５は、複数のメダル通過センサからの出力信号に基づいて、メダルの通過方向を特定する処理も行う。これらの処理を実行するために、セレクタユニット１１５は、駆動源（ソレノイド等）、センサ、各種可動片等を有している。
【０２１５】
セレクタユニット１１５は、左右側面に各々２個ずつの位置決め突起１１５ｅを有している。セレクタユニット取付ブラケット１１６には、位置決め突起１１５ｅに対応する位置に、位置決め突起１１５ｅが挿入されるセレクタ位置決め孔（不図示）が形成されている。位置決め突起１１５ｅをセレクタ位置決め孔に挿入することで、セレクタユニット取付ブラケット１１６に対してセレクタユニット１１５を位置精度よく取り付けることができるようになっている。その結果、セレクタユニット取付ブラケット１１６を介して、投入口ユニット４ｐとセレクタユニット１１５との相対位置関係が高精度となる。
【０２１６】
なお、セレクタユニット取付ブラケット１１６に対してセレクタユニット１１５を取り付ける際は、セレクタユニット取付ブラケット１１６のコ字状開口部分に、後方からセレクタユニット１１５を挿入するだけで取り付けが完了するようになっている。その際、セレクタユニット取付ブラケット１１６の左側面に固定された樹脂製の取付ガイド１１６ｃが、その弾性に基づいて開口幅を広げるように撓み、セレクタユニット１１５の受け入れを容易にしている。
【０２１７】
図５２は、セレクタユニット取付ブラケット１１６を後方から見た後面図である。図５２は、セレクタユニット１１５を取り外した状態であり、その図示を省略している。セレクタユニット取付ブラケット１１６の支持面１１６ｄには、略長方形状の開口部１１６ｅが開口形成されている。開口部１１６ｅは、ストップボタンユニット１０４の中空ボス１１４の後方正面に位置している。
【０２１８】
セレクタユニット１１５を取り外さないと、中空ボス１１４内のネジ１１４ａにアクセスできないが、セレクタユニット取付ブラケット１１６を取り外さなくても開口部１１６ｅを介してネジ１１４ａをドライバで取り外すことができるようになっている。セレクタユニット取付ブラケット１１６を樹脂フレーム３５ｂに装着したままでストップボタンユニット１０４を操作パネルユニット８３の前方から取り外すことができるので、メンテナンス性の向上に寄与している。
【０２１９】
＜Ｇ−８．中央表示基板＞
図５３は、中央表示基板１１７近傍の分解斜視図である。中央表示基板１１７は、フレーム８０の上下方向における中央やや下方の左側面近傍に位置し、膨出部８ｂの裏面側に配置されている。中央表示基板１１７は、複数のコネクタを有してスタートレバー３、ベットボタンユニット１０２、ストップボタンユニット１０４等と接続された中継基板であって、メイン基板４５へと配線接続されている。中央表示基板１１７は、後述するようにセレクタユニット１１５にも接続されている。
【０２２０】
中央表示基板１１７は、基板ケース１１８で覆われている。基板ケース１１８は、ベースカバー１１８ａ、蓋カバー１１８ｂ、開閉カバー１１８ｃ、レバー後部カバー１１８ｄを有して構成されている。ベースカバー１１８ａと蓋カバー１１８ｂとが、中央表示基板１１７の前後を覆うように構成されている。図５３においては、基板ケース１１８の一部を分解して示している。
【０２２１】
図５４は、基板ケース１１８の右後方を斜め下方から斜視した斜視図である。基板ケース１１８は、透明又は半透明の樹脂で形成されている。したがって、基板ケース１１８の外部から中央表示基板１１７が視認可能となっている。したがって、中央表示基板１１７に対し、改造等の不正行為が行われた場合でも迅速な発見が可能となっている。ベースカバー１１８ａは、中央表示基板１１７の主として前方を覆うカバーであって、樹脂フレーム３５ｂにネジ止めされている。そして、ベースカバー１１８ａに対して中央表示基板１１７がネジ止めされて固定されている。
【０２２２】
蓋カバー１１８ｂは、中央表示基板１１７の主として後方を覆うカバーであって、ベースカバー１１８ａに対してネジ止め固定されるようになっている。ベースカバー１１８ａの上面には、左右２箇所の係止突起１１９が突出形成されており、蓋カバー１１８ｂの上面には、係止突起１１９に対応する位置に係止孔１２０が開口形成されている。蓋カバー１１８ｂの取付け前に、両者の上面において係止突起１１９に係止孔１２０を係止させることにより、ベースカバー１１８ａに対し蓋カバー１１８ｂの仮止めが可能となっている。ベースカバー１１８ａの上に蓋カバー１１８ｂを置くだけで係止突起１１９が係止孔１２０に係止されて蓋カバー１１８ｂが落下しない。したがって、蓋カバー１１８ｂの取付け工程が簡便となる。
【０２２３】
ベースカバー１１８ａに対し、蓋カバー１１８ｂをネジ止めした後に、そのネジ止め部分に封止部材１２６が取り付けられるようになっている。封止部材１２６は、表面に半透明の薄膜フィルムが形成された部材であって、蓋カバー１１８ｂのネジ止め部分に取外し困難に取り付けられる。蓋カバー１１８ｂを取り外そうとすると、薄膜フィルムを突き破ってドライバーでネジを外す必要があり、その取外し行為の痕跡が残存するようになっている。したがって、蓋カバー１１８ｂの不正な取外し、すなわち中央表示基板１１７への不正アクセスを有効に防止している。
【０２２４】
蓋カバー１１８ｂの上面には、大開口１２１と小開口１２２も形成されている。ベットボタンユニット１０２、ストップボタンユニット１０４、演出ボタンユニット１４ａ等からのハーネスは、大開口１２１を通って中央表示基板１１７上の各種コネクタに接続されている。スタートレバー３からのハーネスは、レバー後部カバー１１８ｄによって覆われて小開口１２２を通って中央表示基板１１７上のコネクタに接続されている。レバー後部カバー１１８ｄは、スタートレバー３の後部から小開口１２２までを覆って小開口１２２内に侵入している。スタートレバー３からのハーネスは、外部からのアクセスが一段と困難とされている。
【０２２５】
セレクタユニット１１５は、中央表示基板１１７の右方に配置されており、セレクタユニット１１５からのハーネスは中央表示基板１１７のコネクタ１２３に接続されている。コネクタ１２３は、開閉カバー１１８ｃの前方に位置し、開閉カバー１１８ｃを開放することにより、外部に露出し、コネクタ１２３の挿脱が容易となっている。
【０２２６】
開閉カバー１１８ｃは、ベースカバー１１８ａに対し、上下に回動可能とされたカバーであり、上方回動状態でコネクタ１２３を閉鎖し、下方回動状態でコネクタ１２３を開放する。開閉カバー１１８ｃは、通常使用状態においては蓋カバー１１８ｂに後方突出形成された係止フック１２４に係止されて閉鎖状態を実現し、セレクタユニット１１５からのハーネスやコネクタ１２３への不正アクセスを防止している。
【０２２７】
一方、セレクタユニット１１５の清掃時等のメンテナンスにおいては、コネクタ１２３を取り外す必要がある。係止フック１２４を解除して開閉カバー１１８ｃを開放状態とすると、外部から容易にコネクタ１２３へとアクセスができ、コネクタ１２３の挿脱が容易となる。したがって、開閉カバー１１８ｃは、通常時の不正防止とメンテナンス時のコネクタ挿脱容易とを両立させている。
【０２２８】
なお、セレクタユニット１１５からのハーネスは、開閉カバー１１８ｃの根元部近傍に形成された切欠部１２５を通って基板ケース１１８内部へと至るようになっている。この切欠部１２５は、開閉カバー１１８ｃの開放時には、後方が開口した切欠であるが、開閉カバー１１８ｃの閉鎖時には、開閉カバー１１８ｃの一部によってその後方開口が閉鎖されて周囲が閉じた孔形状となる。
【０２２９】
＜Ｇ−９．返却通路＞
図５５は、この遊技機２の返却通路近傍の分解斜視図である。図５５においては、フレーム８０の受皿取付部８０ｄの後面側を右斜め後方から矢視している。返却通路１２７は、通路部材１２８が樹脂フレーム３５ｂの裏面側に取り付けられることにより構成される。図５６は、通路部材１２８の外観図である。図５６においては、通路部材１２８を前方、すなわち返却通路１２７の一部を構成する側から矢視している。
【０２３０】
通路部材１２８は、透明又は半透明の樹脂で形成された部材であって、メダル投入口４から投入され、排出口１１５ｄから排出されたメダルＭを受皿１７へと案内するためのものである。樹脂フレーム３５ｂには、セレクタユニット１１５の下端近傍の左右位置に係止フック１２９が形成されている。通路部材１２８の上端近傍には、導入口１２８ａが開口形成されており、その左右位置に係止突起１２８ｂが突出形成されている。係止フック１２９に係止突起１２８ｂを係止させ、ネジ１３０によって通路部材１２８の取付孔１２８ｃを樹脂フレーム３５ｂのネジ穴１３１にネジ止めすることにより、樹脂フレーム３５ｂへの通路部材１２８の取付けが簡単に完了するようになっている。
【０２３１】
通路部材１２８を樹脂フレーム３５ｂに取り付けると、通路部材１２８の前面と樹脂フレーム３５ｂの裏面とで中空の返却通路１２７が構成されるようになっている。導入口１２８ａは、セレクタユニット１１５の排出口１１５ｄの直下に位置するようになっている。直径サイズが規定のものと異なる等、不適合なメダルが投入された場合には、そのメダルは排出口１１５ｄから排出される。そして、導入口１２８ａから返却通路１２７へと案内され、最終的に返却口１３４から受皿１７へと返却されるようになっている。
【０２３２】
通路部材１２８の周壁１２８ｅは、外部から返却通路１２７内への不正アクセス防止や返却通路１２７内のメダルの外部への逸脱防止の観点から、樹脂フレーム３５ｂの裏面に高い緊密性で倣うようになっている。したがって、樹脂フレーム３５ｂの裏面が平面でない場合、すなわち曲面形状である場合や、屈曲面形状である場合であっても、それらの面形状に倣うように周壁１２８ｅが形成されている。また、通路部材１２８の上端部近傍が、係止突起１２８ｂと係止フック１２９とで係止されているので、通路部材１２８を取り付けた際に樹脂フレーム３５ｂから浮き上がらないようになっている。
【０２３３】
通路部材１２８の上面及び下面の一部には、切り返し状のステップが形成された侵入防止部１２７ａが形成され、通路部材１２８の側面の一部には、多数の凹室が碁盤目状に配列された侵入防止部１２７ｂが形成されている。また、樹脂フレーム３５ｂの裏面の一部であって、返却通路１２７を構成する部分にも、複数の蛇腹状の段付きが形成された侵入防止部１３２が形成されている。これら侵入防止部１２７ａ，１２７ｂ，１３２は、受皿１７からセレクタユニット１１５への不正アクセスを防止するためのものである。
【０２３４】
受皿１７側から返却口１３４を介してピアノ線等の不正工具が挿入された場合であっても、侵入防止部１２７ａ，１２７ｂ，１３２の切り返し、凹室、蛇腹状の段付きのいずれかに不正工具の先端が突き当たってしまい、それ以上の挿入ができなくなるように構成されている。このように、受皿１７側からセレクタユニット１１５への不正工具の到達が防止されている。
【０２３５】
なお、返却通路１２７の下端部近傍における返却口１３４の後方には、金属プレート１３３が配置されている。返却通路１２７を通って返却されるメダルが、金属プレート１３３に接触することにより、除電されるようになっている。
【０２３６】
＜Ｇ−１０．操作パネルユニット＞
図５７は、この遊技機２の操作パネルユニット８３のフレーム８０への取付構造を示す断面図である。図５７においては、操作パネルユニット８３の右側部分におけるフック８３ｂ部分の水平断面図を示している。
【０２３７】
この遊技機２においては、フレーム８０に対して中央パネルユニット８４、透明板８ａ、サイドレンズユニット１８、操作パネルユニット８３、受皿１７、上部レンズユニット１９の順で取り付けられて組み立てられる。操作パネルユニット８３のフック８３ｂを樹脂フレーム３５ｂの係合孔８０ｇに係合し、その後に樹脂フレーム３５ｂの後方から操作パネルユニット８３のボス８３ｃをネジ止めすることにより、操作パネルユニット８３の取付けが完了する。
【０２３８】
操作パネルユニット８３の側面８３ｇにおける端部８３ｈは、樹脂フレーム３５ｂに当接するように配置されている。また、サイドレンズユニット１８の側面１８ｂにおける端部１８ｋも同様に樹脂フレーム３５ｂに当接するように配置される。樹脂フレーム３５ｂへの取付状態において、操作パネルユニット８３の側面８３ｇとサイドレンズユニット１８の側面１８ｂとは、隙間が殆ど無い状態で近接配置されている。
【０２３９】
このように、両側面８３ｇ，１８ｂが隙間が殆ど無い状態で近接配置され、かつ端部８３ｈ，１８ｋが共に樹脂フレーム３５ｂに当接するように配置されることにより、この近傍位置において不正工具を挿入して遊技機２内部へアクセスすることが極めて困難とされている。すなわち、樹脂フレーム３５ｂと操作パネルユニット８３やサイドレンズユニット１８との隙間、操作パネルユニット８３とサイドレンズユニット１８との隙間等からの不正アクセスが有効に防止されている。
【０２４０】
図５８は、操作パネルユニット８３における膨出部（操作パネル部）８ｂ近傍の部分斜視図である。膨出部８ｂの上面側には、化粧プレート１０１が取り付けられ、その上にベットボタンユニット１０２、演出ボタンユニット１４ａ、投入口ユニット４ｐが配列されている（ただし、図５８においては、化粧プレート１０１を上方に分解図示している。）。また、膨出部８ｂの前面側には、スタートレバー３、ストップボタンユニット１０４、メダル返却用の返却ボタン１３６が配列されている。
【０２４１】
ベットボタンユニット１０２の左側方に、メダル枚数表示ユニット１３７が配置されている。メダル枚数表示ユニット１３７は、膨出部８ｂの中空内部に取り付けられ、その表示面が膨出部８ｂ上面に形成された表示用開口８３ｊから視認可能とされている。メダル枚数表示ユニット１３７は、投入され内部保留（クレジット）されたメダル枚数、遊技によって獲得したメダル枚数、ベット枚数の他、リプレイの有無、遊技スタート等を表示するためのもので、表示面に表示素子としてのＬＥＤや７セグメントＬＥＤによる情報表示が行われる。
【０２４２】
化粧プレート１０１において表示面に対応する位置には、ＬＥＤ等の光を透過させて遊技者に視認可能とするために透明又は半透明とされた透光部１０１ａが形成され、遊技者の視認性確保と膨出部８ｂ内部へのアクセス防止を実現している。この遊技機２においては、メダル枚数表示ユニット１３７が操作パネルユニット８３における膨出部８ｂ内部に配置され、その表示面が膨出部８ｂの上面を介して視認可能とされている。膨出部８ｂ上面は、水平面に対し遊技者に向けて若干傾斜した傾斜面とされており、遊技者から自然に視認可能な面となっている。したがって、メダル枚数表示ユニット１３７の表示面は、遊技者にとって視認しやすいものとなっている。
【０２４３】
＜Ｇ−１１．サイドレンズユニット＞
図５９は、サイドレンズユニット１８の内部構造の概略を示す分解斜視図である。図５９においては、遊技機２の正面視右側におけるサイドレンズユニット１８の上部近傍部分を示している。左側におけるサイドレンズユニットも、左右対称の同様構造を有している。また、サイドレンズユニット１８は、上部照明ユニット１３８ａと下部照明ユニット１３８ｂとの２つの照明ユニットを有しており、上部近傍から下部近傍に至るまで照明による多彩な演出を可能としているが、上部照明ユニット１３８ａと下部照明ユニット１３８ｂとは、その構造が略同様であるので、ここでは上部照明ユニット１３８ａの構造のみ説明する。
【０２４４】
上部照明ユニット１３８ａは、ＬＥＤ基板１３９、保持部材１４０、２枚の分光プレート１４１、２つの拡散部材１４２，１４３、カバー部材１４４を有して大略構成されている。これらが組み合わされて上部照明ユニット１３８ａを構成し、サイドレンズユニット１８の外郭を構成する外郭部１８ｍの正面側に形成された凹部１８ｎ内に挿入される。凹部１８ｎ内に上部照明ユニット１３８ａを挿入した後に、その上部に飾り部材１４５を嵌め込み、飾り部材１４５によって上部照明ユニット１３８ａが押さえ込まれるようになっている。
【０２４５】
ＬＥＤ基板１３９は、その前方表面に左右２列、上下４列の合計８個のＬＥＤ素子１３９ａを実装し、前方に向けて照明光を発光する。このＬＥＤ素子１３９ａからの照明光が、分光プレート１４１によって７方向に分光されるようになっている。図６０は、上部照明ユニット１３８ａにおけるＬＥＤ基板１３９、分光プレート１４１、拡散部材１４２，１４３の配置を示す配置図である。図６０においては、保持部材１４０、カバー部材１４４は図示を省略している。ＬＥＤ基板１３９の前方には、分光プレート１４１を保持するための保持部材１４０が配置される。その保持部材１４０にはＬＥＤ素子１３９ａの位置に対応するように開口孔が形成され、その開口孔を介してＬＥＤ素子１３９ａの正面に分光プレート１４１の入射面１４１ａが位置するようになっている。
【０２４６】
分光プレート１４１は、透明又は半透明の樹脂製の導光部材である。入射面１４１ａから分光プレート１４１内に入射した照明光は、分光プレート１４１内部を通り、分光プレート１４１の形状に基づいて上下２方向に分光され、各々分光プレート１４１の出射面１４１ｂから出射するようになっている。具体的には、１つの出射面１４１ｂから、それより上側に位置するＬＥＤ素子１３９ａの下方分光と下側に位置するＬＥＤ素子１３９ａの上方分光との２つの分光が出射されるようになっている。
【０２４７】
このように、ＬＥＤ素子１３９ａからの照明光が複数に分光された結果、上下４列のＬＥＤ素子１３９ａからの照明光が７方向に分光されて分光プレート１４１の出射面１４１ｂから出射するようになっている。この上部照明ユニット１３８ａにおいては、左右に２列のＬＥＤ素子１３９ａを有しているので、２×７＝１４方向への分光が可能となっている。上下方向におけるＬＥＤ素子１３９ａの数を少なくしても、上下に多数の分光を発生させることができるので、上下に長く均一な照明光を形成することができる。
【０２４８】
なお、下部照明ユニット１３８ｂにおいては、ＬＥＤ基板に左右２列、上下５列の合計１０個のＬＥＤ素子が実装され、上下５列の照明光が、分光プレートによって上下方向に９方向に分光されるように構成されている。
【０２４９】
分光プレート１４１によって分光された照明光は、出射面１４１ｂから出射し、その前方に配置される拡散部材１４２，１４３の入射面１４２ａ，１４３ａから拡散部材１４２，１４３内に入射する。
【０２５０】
拡散部材１４２は、透明又は半透明の樹脂製の光拡散部材である。拡散部材１４２は、右側の上部照明ユニット１３８ａにおける右側配置の拡散部材であり、拡散部材１４３は左側配置の拡散部材である。すなわち、拡散部材１４２は、遊技機２に対して外側に配置される拡散部材であり、拡散部材１４３は内側に配置される拡散部材である。
【０２５１】
拡散部材１４２，１４３の前面側には、上下に延びる多数の凹凸溝が形成された拡散面１４２ｂ，１４３ｂが各々形成されている。拡散部材１４２と拡散部材１４３とが合わさって、拡散面１４２ｂと拡散面１４３ｂとによって断面円弧状の拡散面１４６が形成される。上下に分光されたＬＥＤ素子１３９ａからの照明光が拡散面１４６から出射することにより、左右方向にも拡散されるようになっている。
【０２５２】
拡散部材１４２，１４３が合わさることにより、両者によって囲まれる中空内部が形成される。その中空内部には、外側の拡散部材１４２から延びる拡散面１４２ｃが延設されている。拡散面１４２ｃにも上下に延びる多数の凹凸溝が形成されており、照明光の一層の左右方向への拡散に寄与している。
【０２５３】
内側の拡散部材１４３の側面１４３ｃには、シボ加工が施されている。このシボ加工により、内側の拡散部材１４３内部に入射した照明光は、側面１４３ｃから遊技機２における内側へも拡散されるようになっている。側面１４３ｃで照明光が拡散されるので、側面１４３ｃ全体が均一に照明される。側面１４３ｃは、遊技者から視認し易い位置に配置されるので、遊技者に側面１４３ｃからの拡散光による照明演出を提供することができる。
【０２５４】
カバー部材１４４は、透明又は半透明の樹脂製の保護部材である。分光プレート１４１、拡散部材１４２，１４３をその中空内部に保護して外側を覆う機能と、拡散部材１４２，１４３から拡散される照明光を透過して遊技者に提供する機能とを有している。
【０２５５】
＜Ｇ−１２．中央パネルユニット＞
図６１は、遊技機２における中央パネルユニット８４の分解図である。図６２は、遊技機２におけるフレーム８０を右斜め後方から見た斜視図である。図６２においては、中央パネルユニット８４近傍を示し、中央パネルユニット８４を一部分解して示している。なお、図６２，図６１においては、透明板８ａの図示を省略している。
【０２５６】
中央パネルユニット８４は、遊技機２の中央近傍位置、すなわち遊技者から視認し易い位置において、種々の演出照明を実現するためのユニットである。中央パネルユニット８４は、その中央部分に開口８４ｂが形成され、その開口８４ｂからリール１１〜１３が臨むようになっており、リール１１〜１３の周囲を演出的に照明する。例えば、各リール１１〜１３のリールテープ５７に配列された複数の装飾図柄が、３×３列等の複数図柄で遊技者に呈示されるようになっている場合において、そのうちのいずれの列が「当たり」列であるかを照明演出により示唆するようになっている。
【０２５７】
中央パネルユニット８４は、パネル本体１４７、拡散板１４８、複数のＬＥＤ基板１４９を有している。パネル本体１４７は、例えば樹脂成形により形成され、光の反射率を高めるために表面が白色とされている。パネル本体１４７は、中央に開口８４ｂが形成されており、その開口８４ｂからリール１１〜１３が臨むようにフレーム８０に取り付けられる。
【０２５８】
開口８４ｂの左右及び下方を囲むように、複数の隔室１４７ｂが形成されている。隔室１４７ｂは、前方が開口され、側方が隔壁１４７ｃによって囲まれて、後方に比較的小さい小孔１４７ｄが開口された小室である。小孔１４７ｄの後方には、ＬＥＤ基板１４９表面に実装されたＬＥＤ１４９ａが臨むようになっており、ＬＥＤ１４９ａからの照明光が、隔壁１４７ｃによって反射されつつ隔室１４７ｂから前方、すなわち遊技者に向けて照射されるようになっている。
【０２５９】
左右の隔室１４７ｂにおいては、１つの隔室１４７ｂに対し１つの小孔１４７ｄが形成され、１つのＬＥＤ１４９ａが臨むようになっている。下方の隔室１４７ｂにおいては、１つの隔室１４７ｂに対し２つの小孔１４７ｄが形成され、各々１つのＬＥＤ１４９ａが臨むようになっている。
【０２６０】
隔壁１４７ｃは、ＬＥＤ１４９ａからの照明光を効率よく前方へと導くように、各隔室１４７ｂごとに前方に向けて拡張するように傾斜している。ＬＥＤ１４９ａ１つごとに、又は２つごとに１つの隔室１４７ｂに対応配置されているので、隣接する隔室１４７ｂに対応するＬＥＤ１４９ａからの照明光同士が混ざり合わないようになっている。したがって、隣接する隔室１４７ｂごとに異なる色彩の照明演出を実現したり、１つの隔室１４７ｂに対応する特定部分のみを照明して他の部分を非照明（暗くする）とする等の照明演出を実現することができる。
【０２６１】
なお、開口８４ｂの上方にも隔壁で区切られた隔室が形成され、各隔室ごとに複数（例えば、１〜３個）のＬＥＤ１４９ａが対応配置されるようになっているが、詳細な説明を省略する。
【０２６２】
開口８４ｂの上辺近傍、すなわち開口８４ｂと上方の隔室との境界部分には、拡散板１４８が取り付けられる。拡散板１４８は、乳白色の樹脂部材であって、下方に傾斜する傾斜面１４８ａを有している。この傾斜面１４８ａが、上方の隔室内に配置されるＬＥＤ１４９ａからの照明光を効率よく前方に導く機能と、リール１１〜１３におけるバックランプユニット５３からの照明光が上方のＬＥＤ１４９ａからの照明光と混ざり合ってしまうのを防止する機能とを発揮している。
【０２６３】
パネル本体１４７に対し、前方から拡散板１４８を取り付ける。拡散板１４８は、固定されるのでなく、パネル本体１４７の係止孔（不図示）に突起部１４８ｂが挿入されて取り付けられる。その後、パネル本体１４７前方から取付フック８４ａにより透明板８ａを取り付ける。
【０２６４】
パネル本体１４７に対し、後方からＬＥＤ基板１４９をネジ止めする。ＬＥＤ基板１４９は、パネル本体１４７後方に配置されたフックにより係止された上でネジにより固定される。そして、フレーム８０に対し後方から中央パネルユニット８４を取り付ける。この際、パネル本体１４７の取付孔１４７ｅを利用して金属製のフレーム部材３５にパネル本体１４７がネジ止めされて取り付けられる。以上のようにして、中央パネルユニット８４のフレーム８０に対する取り付けが完了する。
【０２６５】
＜Ｇ−１３．上部レンズユニット＞
図６３及び図６４は、遊技機２における上部レンズユニット１９の分解図である。図６３においては、上部レンズユニット１９を右斜め前方から矢視しており、図６４においては、上部レンズユニット１９を右斜め後方から矢視している。
【０２６６】
上部レンズユニット１９は、レンズ部１５０、ＬＥＤ基板１５１、演出表示部１５２を有して大略構成される。レンズ部１５０は、主として上部レンズユニット１９の前面側に配置され、意匠デザインが施された多数の樹脂部材を有して構成されている。レンズ部１５０は、中央カバー１５０ａ、側面カバー１５０ｂを有している。これらのカバー１５０ａ，１５０ｂは、上部レンズユニット１９の上面中央及び側面を覆う透明又は半透明の樹脂部材である。ＬＥＤ１５１ａからの照明光を透過させて遊技機２の前方へと導き、上部レンズユニット１９内部構造を保護する機能を有している。なお、中央カバー１５０ａは、部分的にシボ加工又は多数の凹凸加工が処理された光拡散部を有しており、照明光を効率的に拡散するように構成されている。
【０２６７】
側面カバー１５０ｂの後方には、側面レンズ１５０ｃが配置されている。この側面レンズ１５０ｃは、ＬＥＤ１５１ａからの照明光を集光又は拡散するためのもので、少なくとも部分的に透明又は半透明とされた樹脂部材である。
【０２６８】
レンズ部１５０は、更に複数の光反射部材１５０ｄも有している。これらの光反射部材１５０ｄは、例えば表面が金属メッキ処理されて銀色光沢を有する樹脂部材である。ＬＥＤ１５１ａからの照明光がこれらの光反射部材１５０ｄによって反射され、又は散乱することにより、照明による演出効果が一層向上している。
【０２６９】
なお、レンズ部１５０は、中央カバー１５０ａ及び側面カバー１５０ｂに囲まれるように、透明板１５０ｅを有している。透明板１５０ｅは、後述する演出表示部１５２の前方に配置され、演出表示部１５２を保護すると共に、その表示部に表示される映像演出を前方から視認可能としている。
【０２７０】
レンズ部１５０の後方には、ＬＥＤ基板１５１が配置されている。ＬＥＤ基板１５１は、前面側表面に多数のＬＥＤ１５１ａを実装し、前方に向けて照明光を発光するように構成されている。中央に配置されたＬＥＤ基板１５１のＬＥＤ１５１ａからの照明光は、中央カバー１５０ａの光拡散部によって拡散され、左右側方に配置されたＬＥＤ基板１５１のＬＥＤ１５１ａからの照明光は、側面レンズ１５０ｃを通って側面カバー１５０ｂから前方に照射されるようになっている。
【０２７１】
演出表示部１５２は、画像又は映像による演出表示を行うためのものであり、映像表示部と演出基板部１６とを有して大略構成される。映像表示部１５３は、例えば液晶表示面を有する液晶表示装置６により構成される。演出基板部１６は、種々の基板が基板ケースに収納されて構成されたもので、液晶表示装置６の後方にネジ止めされるが、詳細は後述する。
【０２７２】
この液晶表示装置６の後方に演出基板部１６が取り付けられて一体となった演出表示部１５２には、その前面側左右側方位置に突起部１５２ａが突出形成されている。そして、レンズ部１５０の後面側であって、透明板１５０ｅの上部左右側方近傍位置には、この突起部１５２ａに対応するように受け面部１５０ｆが後方に突出形成されている。
【０２７３】
演出基板部１６を液晶表示装置６の後方にネジ止めする際に、まず突起部１５２ａを受け面部１５０ｆに引っ掛けるようにして演出基板部１６を吊下する。そうすると、ネジ止め前であっても、演出基板部１６と液晶表示装置６との位置決めを容易に行うことができ、ネジ止め作業が簡単となる。突起部１５２ａと受け面部１５０ｆの存在が、上部レンズユニット１９の組立て効率の向上に寄与している。
【０２７４】
＜Ｇ−１４．演出基板部＞
図６５は、演出基板部１６を右斜め後方から見た斜視図である。図６５においては、演出基板部１６の基板カバー１５５を後方に分解して示している。図６６は、演出基板部１６の分解斜視図である。
【０２７５】
演出基板部１６は、液晶表示装置６の後方に取り付けられており、基板カバー１５４，１５５の内部に、サブ基板４９とＶＤＴ基板（画像表示基板）１５６とを収容して構成されている。サブ基板４９は、メイン基板４５と接続されており、メイン基板４５からの制御コマンドに基づいて、演出コマンドをスピーカ、各種演出照明装置（ランプやＬＥＤ等）等に向けて送出する。サブ基板４９は、ＶＤＴ基板１５６を介して液晶表示装置６にも演出コマンドを送出する。
【０２７６】
ＶＤＴ基板１５６は、サブ基板４９及び液晶表示装置６と接続されており、サブ基板４９からの演出コマンドに基づいて液晶表示装置６を駆動する。ＶＤＴ基板１５６からの駆動信号によって液晶表示装置６に種々の演出映像が表示される。サブ基板４９のＶＤＴ基板１５６側には、コネクタ１５７ａが実装されており、ＶＤＴ基板１５６のサブ基板４９側にはコネクタ１５７ｂが実装されている。これらコネクタ１５７ａ，１５７ｂ同士が直接接続（いわゆるボード・トゥ・ボード接続）されることによりサブ基板４９とＶＤＴ基板１５６とが接続される。コネクタ同士がボード・トゥ・ボード接続されることにより、ハーネス接続を廃することができる。ハーネスへの不正行為を防止し、ノイズによる悪影響を低減することができる。
【０２７７】
なお、ＶＤＴ基板１５６上には、小基板１５８，１５９が配置されている。ＶＤＴ基板１５６と小基板１５８，１５９との接続においても、コネクタ１６０ａとコネクタ１６０ｂとの接続やコネクタ１６１ａとコネクタ１６１ｂとの接続によりボード・トゥ・ボード接続が行われている。ＶＤＴ基板１５６と小基板１５８，１５９との間にはスペーサ１６２，１６３が設置されて、そのスペーサ１６２，１６３が小基板１５８，１５９を各々保持しており、２階建て様（積層様）の基板配置となっている。このように基板を配置することで、基板配置のスペースを小さくすることができる。
【０２７８】
メイン基板４５からの配線は、サブ基板４９上のコネクタ群４９ａに接続されている。このコネクタ群４９ａは周囲を基板カバー１５４，１５５により囲まれており、左方向を向くコネクタ挿入口近傍のみが開口している。特に、コネクタ群４９ａの後方は、基板カバー１５５の庇部１５５ａによって覆われている。このように、挿入口以外をカバーで覆うことで、コネクタ群４９ａに対する不正行為を防止している。
【０２７９】
基板カバー１５５には、複数の凹部１５５ｂが形成されている。凹部１５５ｂは、基板カバー１５５の後面１５５ｃから部分的に前方に向けて凹んだ部分である。サブ基板４９又はＶＤＴ基板１５６の表面であって、凹部１５５ｂに対応する位置には、ＣＰＵ等の集積回路素子（不図示）が実装されている。集積回路素子と基板カバー１５５との隙間が凹部１５５ｂによって狭められているので、集積回路素子への不正行為が効果的に防止されている。
【０２８０】
なお、サブ基板４９とＶＤＴ基板１５６とを収容して、基板カバー１５４と基板カバー１５５とはネジ止めされ、そのネジの上方から封止部材１２６が取り付けられている。封止部材１２６は、中央表示基板１１７において用いられたものと同様のものである。基板カバー１５４，１５５が開放された痕跡が封止部材１２６に残存するようになっているので、基板カバー１５４，１５５の不正開放を迅速に発見でき、ひいては不正行為の予防に寄与している。
【０２８１】
基板カバー１５４，１５５は透明又は半透明の樹脂で形成されている。したがって、内部に収容するサブ基板４９やＶＤＴ基板１５６に対して不正改造等が行われた場合は、基板カバー１５４，１５５外部から容易に視認可能とされており、不正の早期発見に寄与している。
【０２８２】
また、基板カバー１５５の右側方には、ヒンジ１６４を中心として開閉可能な開閉カバー１６５が配置されており、この開閉カバー１６５内に液晶表示装置６からＶＤＴ基板１５６に接続されるハーネス及びコネクタ１６６が配置されている。通常使用時には、開閉カバー１６５が閉鎖されているので、液晶表示装置６とＶＤＴ基板１５６とを接続するハーネス及びコネクタ１６６が開閉カバー１６５内に収容され、これらに対する不正行為が防止されている。開閉カバー１６５は透明又は半透明の樹脂で形成され、閉鎖状態でもハーネスやコネクタ１６６に対する不正行為が早期発見可能である。開閉カバー１６５を開放するとコネクタ１６６が露出するようになっている。したがって、コネクタ１６６の取外しが容易であり、メンテナンス性が向上している。
【０２８３】
＜Ｇ−１５．ブロック構成＞
図４５−１は、この遊技機２における各種基板及び電気装置の接続の様子を示すブロック構成図である。電源基板７６からの電力が、サブ基板４９、リール制御基板３９に供給されるようになっている。電源基板７６とメイン基板４５とは直接接続されておらず、電源基板７６からリール制御基板３９を介してメイン基板４５へと電力供給が行われるようになっている。また、電源ユニット２４の設定値変更キー６２ｃ、リセットスイッチ６２ｄ、開閉センサ６２ｂからの出力は、メイン基板４５に入力されるようになっている。
【０２８４】
メイン基板４５は、この遊技機２全体の動作制御を行うための基板であり、サブ基板４９、リール制御基板３９、中央表示基板１１７と接続されている。
【０２８５】
サブ基板４９は、照明演出、画像演出、音声演出等の各種演出を実行するための基板であり、上部スピーカ９３ｂ、下部スピーカ８８ｂ、液晶表示装置６、ランプ基板、ＬＥＤ基板等を含む各種照明基板２００に接続されている。照明基板２００は、導光板照明基板、回胴照明基板、回胴ランプ基板、サイドＬＥＤ基板、下パネル照明基板等を含み、これらのランプ基板、ＬＥＤ基板は、遊技機２において遊技者に対し様々な照明演出を実現する。サブ基板４９は、リールランプ基板４０とも接続され、バックランプ４８によるリール装飾図柄の演出照明を実現している。
【０２８６】
リール制御基板３９は、リール１１〜１３の動作制御を実行するための基板であり、リール装置９内の駆動モータ５１、回転センサ５２等に接続されている。また、フロント枠８の開閉を検出するドアセンサ２８にも接続されている。リール制御基板３９は、中継基板としての機能も有しているので、この遊技機２では、ホッパー２０内の払出しモータ７２、計数センサ６８が、電源基板７６に接続されずに、このリール制御基板３９を介してメイン基板４５と接続されている。また、外部集中端子基板３６もリール制御基板３９を介してメイン基板４５に接続されている。
【０２８７】
中央表示基板１１７は、メイン基板４５とセレクタユニット１１５、ベットボタンユニット１０２、ストップボタンユニット１０４、スタートレバー３、メダル枚数表示ユニット１３７とを中継する基板である。
【０２８８】
中央表示基板１１７には、セレクタユニット１１５内のセンサやベットボタンユニット１０２のＭＡＸベットボタン５ａ用のセンサ本体１０２ｅ、最小ベットボタン５ｂ用の最小ベット用スイッチ１０２ｇ、精算ボタン１４用の精算用スイッチ１０２ｈが接続されている。更に、ストップボタンユニット１０４のセンサ本体１０８、スタートレバー３用のセンサ、メダル枚数表示ユニット１３７等が接続されている。これらの、スイッチ及びセンサからの出力が中央表示基板１１７を介してメイン基板４５に向けて送信され、メイン基板４５からの制御コマンドに基づいてＬＥＤ表示やランプ照明が行われるようになっている。
【符号の説明】
【０２８９】
断面：Ａ                                        断面：Ｂ
断面：Ｃ                                        メダル：Ｍ
中心軸：Ｐ１                                    中心軸：Ｐ２
回転軸：Ｘ                                      パチスロ機（遊技機）：２
スタートレバー：３                              メダル投入口：４
ネジ穴：４ａ                                    位置決め凸部：４ｂ
投入口ユニット：４ｐ                            ベットボタン：５
ＭＡＸベットボタン：５ａ                        最小ベットボタン：５ｂ
液晶表示装置：６                                キャビネット：７
左側面：７ａ                                    背面：７ｂ
右側面：７ｃ                                    放熱孔：７ｄ
配線孔：７ｅ                                    補給孔：７ｆ
カバー部材：７ｇ                                上面：７ｈ
底板：７ｊ                                      左側面：７ｋ
フロント枠：８                                  透明板：８ａ
膨出部：８ｂ                                    リール装置（回胴装置）：９
鍵穴：１０                                      リール：１１〜１３
精算ボタン：１４                                演出ボタンユニット：１４ａ
下パネル：１５                                  演出基板部：１６
受皿：１７                                      フック：１７ａ
ネジ穴：１７ｂ                                  サイドレンズユニット：１８
側面：１８ａ，１８ｂ                            上面：１８ｃ
フック：１８ｄ                                  底面：１８ｅ
係止片：１８ｆ                                  ボス：１８ｇ
取付けガイド：１８ｈ                            規制壁：１８ｊ
端部：１８ｋ                                    外郭部：１８ｍ
凹部：１８ｎ                                    上部レンズユニット：１９
側面：１９ａ                                    フック：１９ｂ
ボス：１９ｃ                                    取付台座：１９ｄ
ホッパー：２０                                  漏出口：２０ａ
貯留タンク：２０ｂ                              払出部：２０ｃ
メダル導入部：２０ｄ                            漏出経路：２０ｆ
収容体：２０ｈ                                  回転板：２０ｊ
傾斜上面：２０ｋ                                保持穴：２０ｍ
放出口：２０ｎ                                  固定片：２０ｐ
移動片：２０ｑ                                  メダル受け面：２０ｒ
ストップボタン：２１〜２３                      電源ユニット：２４
前面扉：２４ａ                                  大型コネクタ：２４ｂ
底板：２４ｃ                                    取付孔：２４ｄ
フィン：２４ｅ                                  把手：２５
凹部：２５ａ                                    上面：２５ｂ
ハーネスクランプ：２６                          切欠部（配線通過部）：２６ａ
配線：２７                                      ドアセンサ：２８
検出片：２８ａ                                  取付ブラケット：２９
取付孔：２９ａ                                  補強フレーム：３０
配線：３１                                      コネクタ：３２
樹脂カバー：３３                                周壁部材：３４
周壁：３４ｂ                                    フレーム部材：３５
受け面：３５ａ                                  樹脂フレーム：３５ｂ
スピーカ取付枠：３５ｃ                          円筒カバー：３５ｄ
トップフレーム：３５ｅ                          右端部：３５ｆ
外部集中端子基板：３６                          ベース部材：３７
ベースリブ：３７ａ                              リールユニットベース：３８
上面：３８ａ                                    リール制御基板：３９
基板ケース：３９ａ                              リールランプ基板：４０
基板ケース：４０ａ                              リールブラケット：４１
リベット：４２                                  リベット：４３
頂部：４３ａ                                    底部：４３ｂ
リベット：４４                                  メイン基板（主制御基板）：４５
打止有無スイッチ：４５ａ                        設定値表示ＬＥＤ：４５ｂ
文字情報：４５ｃ                                配線：４６ａ
コネクタ：４６ｂ                                配線：４７ａ
コネクタ：４７ｂ                                バックランプ：４８
サブ基板（演出制御基板）：４９                  コネクタ群：４９ａ
リールベース：５０                              取付孔：５０ａ
膨出部：５０ｂ                                  取付孔：５０ｃ
取付フック：５０ｄ                              位置決めピン：５０ｅ
駆動モータ：５１                                モータ軸：５１ａ
回転センサ：５２                                取付フック：５２ａ
バックランプユニット：５３                      隔壁：５３ａ
取付部：５３ｂ                                  取付孔：５３ｃ
位置決め孔：５３ｄ                              リールテープユニット：５４
取付けリング：５５                              取付部：５５ａ
支持部：５５ｂ                                  円環部：５５ｃ
基準マーク：５５ｄ                              検出片：５５ｅ
キー溝：５５ｆ                                  補助リング：５６
円環部：５６ａ                                  リールテープ：５７
周面：５７ａ                                    補助金庫：５８
上面開口：５８ａ                                箱部材：５８ｂ
排出開口：５８ｃ                                底板：５８ｄ
フック：５８ｅ                                  左外側面：５８ｆ
収納部：５８ｇ                                  メイン基板ユニット：５９
取付ベース：６０                                保持面（基板ケース保持面）：６０ａ
保持面（スイッチボックス保持面）：６０ｂ        取付孔：６０ｃ
係止フック：６０ｄ                              本体カシメ部：６０ｅ
カシメ部材：６０ｆ                              係止フック：６０ｇ
基板ケース：６１                                本体ケース：６１ａ
蓋ケース：６１ｂ                                回転軸部：６１ｃ
本体カシメ部：６１ｄ                            シール貼付面：６１ｅ
ケースカシメ部：６１ｆ                          封印カバー：６１ｇ
スイッチボックス：６２                          開閉ドア：６２ａ
開閉センサ：６２ｂ                              設定値変更キー：６２ｃ
リセットスイッチ：６２ｄ                        コネクタ：６３
押え板：６４                                    スペーサ：６５
中心軸：６６                                    検出片：６７
計数センサ：６８（６８ａ，６８ｂ）              位置：６９
支持面：７０                                    傾斜面：７１
根元部：７１ａ                                  先端部：７１ｂ
払出しモータ：７２                              入力エラー表示ＬＥＤ：７３ａ
２４Ｖ表示ＬＥＤ：７３ｂ                        １２Ｖ表示ＬＥＤ：７３ｃ
１２Ｖ−Ｓ表示ＬＥＤ：７３ｄ                    電源ケース：７４
上面：７４ａ                                    コネクタ孔：７４ｂ
凹部：７４ｃ                                    左側面：７４ｄ
右側面：７４ｅ                                  ケース：７４Ｌ，７４Ｒ
ネジ：７５                                      電源基板：７６
ザグリ部：７７Ｌ，７７Ｒ                        フレーム：８０
上部レンズユニット取付部：８０ａ                中央パネル取付部：８０ｂ
操作パネル取付部：８０ｃ                        受皿取付部：８０ｄ
係止孔：８０ｅ                                  フック：８０ｆ
係合孔：８０ｇ                                  フック：８０ｈ
補強梁部：８１、８２                            操作パネルユニット：８３
側面：８３ａ                                    フック：８３ｂ
ボス：８３ｃ                                    操作パネル本体：８３ｄ
底面：８３ｅ                                    凹部：８３ｆ
側面：８３ｇ                                    端部：８３ｈ
表示用開口：８３ｊ                              中央パネルユニット：８４
取付フック：８４ａ                              開口：８４ｂ
下マスクユニット：８５                          内側マスク：８５ａ
意匠プレート：８５ｂ                            外側マスク：８５ｃ
凹部：８５ｄ                                    凸部：８５ｅ
係合フック：８５ｆ                              受皿ベースプレート：８６
放音孔：８６ａ                                  開口：８７
下部スピーカユニット：８８                      網板：８８ａ
下部スピーカ：８８ｂ                            後方カバー：８８ｃ
開口部：８８ｄ                                  後面：８８ｅ
凹室：８９                                      側方保持片：８９ａ
中央保持片：８９ｂ                              位置決め突部：８９ｃ
係止孔：８９ｄ                                  ＬＥＤ基板：９０
位置決め孔：９０ａ                              押さえ部材：９１
係止フック：９１ａ                              透明板：９２ａ
上部スピーカユニット：９３                      網板：９３ａ
上部スピーカ：９３ｂ                            後方カバー：９３ｃ
コーン紙：９３ｄ                                開口部：９３ｅ
後面：９３ｆ                                    取付板：９３ｇ
内部：９３ｈ                                    隙間：９４ａ，９４ｂ
錠前ユニット：９６                              リンクユニット：９７
ユニット本体：９７ａ                            キーシリンダ保持ステー：９７ｂ
挿入孔：９７ｃ                                  ネジ穴：９７ｄ
上端部：９７ｅ                                  シリンダユニット：９８
キーシリンダ：９８ａ                            取付板：９８ｂ
回転カム：９８ｃ                                取付孔：９８ｄ
後方カバー：９９                                窓部：９９ａ
隙間：１００                                    化粧プレート：１０１
透光部：１０１ａ                                ベットボタンユニット：１０２
ユニット本体：１０２ａ                          押さえ部材：１０２ｂ
スイッチユニット：１０２ｃ                      爪部材：１０２ｄ
センサ本体：１０２ｅ                            筒状部：１０２ｆ
最小ベット用スイッチ：１０２ｇ                  精算用スイッチ：１０２ｈ
センサ：１０２ｊ                                ＬＥＤ：１０２ｋ
凹部：１０２ｍ                                  コネクタ：１０２ｎ
爪部：１０２ｐ                                  係止孔：１０２ｑ
フック：１０２ｒ                                取付孔：１０２ｓ，１０２ｔ，１０２ｕ
ネジ穴：１０３ａ，１０３ｂ                      ストップボタンユニット：１０４
前面パネル：１０５                              センサユニット：１０６
凹室：１０６ａ〜１０６ｃ                        ネジ：１０７
センサ本体：１０８                              ＬＥＤ：１０９
バネ：１１０                                    支持部材：１１１
コネクタ：１１２                                ネジ：１１３
中空ボス：１１４                                ネジ：１１４ａ
セレクタユニット：１１５                        導入口：１１５ａ
メダル通路：１１５ｂ                            導出口：１１５ｃ
排出口：１１５ｄ                                位置決め突起：１１５ｅ
本体部：１１５ｆ                                蓋部：１１５ｇ
セレクタユニット取付ブラケット：１１６  取付孔：１１６ａ
位置決め孔：１１６ｂ                            取付ガイド：１１６ｃ
支持面：１１６ｄ                                開口部：１１６ｅ
中央表示基板：１１７                            基板ケース：１１８
ベースカバー：１１８ａ                          蓋カバー：１１８ｂ
開閉カバー：１１８ｃ                            レバー後部カバー：１１８ｄ
係止突起：１１９                                係止孔：１２０
大開口：１２１                                  小開口：１２２
コネクタ：１２３                                係止フック：１２４
切欠部：１２５                                  封止部材：１２６
返却通路：１２７                                侵入防止部：１２７ａ，１２７ｂ
通路部材：１２８                                導入口：１２８ａ
係止突起：１２８ｂ                              取付孔：１２８ｃ
周壁：１２８ｅ                                  係止フック：１２９
ネジ：１３０                                    ネジ穴：１３１
侵入防止部：１３２                              金属プレート：１３３
返却口：１３４                                  返却ボタン：１３６
メダル枚数表示ユニット：１３７                  上部照明ユニット：１３８ａ
下部照明ユニット：１３８ｂ                      ＬＥＤ基板：１３９
ＬＥＤ素子：１３９ａ                            保持部材：１４０
分光プレート：１４１                            入射面：１４１ａ，１４２ａ，１４３ａ
出射面：１４１ｂ                                外側の拡散部材：１４２
拡散面：１４２ｂ，１４３ｂ，１４２ｃ            内側の拡散部材：１４３
側面：１４３ｃ                                  カバー部材：１４４
飾り部材：１４５                                拡散面：１４６
パネル本体：１４７                              隔室：１４７ｂ
隔壁：１４７ｃ                                  小孔：１４７ｄ
取付孔：１４７ｅ                                拡散板：１４８
傾斜面：１４８ａ                                突起部：１４８ｂ
ＬＥＤ基板：１４９                              ＬＥＤ：１４９ａ
レンズ部：１５０                                中央カバー：１５０ａ
側面カバー：１５０ｂ                            側面レンズ：１５０ｃ
光反射部材：１５０ｄ                            透明板：１５０ｅ
受け面部：１５０ｆ                              ＬＥＤ基板：１５１
ＬＥＤ：１５１ａ                                演出表示部：１５２
突起部：１５２ａ                                基板カバー：１５４，１５５
庇部：１５５ａ                                  凹部：１５５ｂ
後面：１５５ｃ                                  ＶＤＴ基板（画像表示基板）：１５６
コネクタ：１５７ａ，１５７ｂ                    小基板：１５８，１５９
コネクタ：１６０ａ，１６０ｂ                    コネクタ：１６１ａ，１６１ｂ
スペーサ：１６２，１６３                        ヒンジ：１６４
開閉カバー：１６５                              コネクタ：１６６
照明基板：２００
【図１】
0005630835.tif 000002
【図２】
0005630835.tif 000003
【図３】
0005630835.tif 000004
【図４】
0005630835.tif 000005
【図５】
0005630835.tif 000006
【図６】
0005630835.tif 000007
【図７】
0005630835.tif 000008
【図８】
0005630835.tif 000009
【図９】
0005630835.tif 000010
【図１０】
0005630835.tif 000011
【図１１】
0005630835.tif 000012
【図１２】
0005630835.tif 000013
【図１３】
0005630835.tif 000014
【図１４】
0005630835.tif 000015
【図１５】
0005630835.tif 000016
【図１６】
0005630835.tif 000017
【図１７】
0005630835.tif 000018
【図１８】
0005630835.tif 000019
【図１９】
0005630835.tif 000020
【図２０】
0005630835.tif 000021
【図２１】
0005630835.tif 000022
【図２２】
0005630835.tif 000023
【図２３】
0005630835.tif 000024
【図２４】
0005630835.tif 000025
【図２５】
0005630835.tif 000026
【図２６】
0005630835.tif 000027
【図２７】
0005630835.tif 000028
【図２８】
0005630835.tif 000029
【図２９】
0005630835.tif 000030
【図３０】
0005630835.tif 000031
【図３１】
0005630835.tif 000032
【図３２】
0005630835.tif 000033
【図３３】
0005630835.tif 000034
【図３４】
0005630835.tif 000035
【図３５】
0005630835.tif 000036
【図３６】
0005630835.tif 000037
【図３７】
0005630835.tif 000038
【図３８】
0005630835.tif 000039
【図３９】
0005630835.tif 000040
【図４０】
0005630835.tif 000041
【図４１】
0005630835.tif 000042
【図４２】
0005630835.tif 000043
【図４３】
0005630835.tif 000044
【図４４】
0005630835.tif 000045
【図４５】
0005630835.tif 000046
【図４６】
0005630835.tif 000047
【図４７】
0005630835.tif 000048
【図４８】
0005630835.tif 000049
【図４９】
0005630835.tif 000050
【図５０】
0005630835.tif 000051
【図５１】
0005630835.tif 000052
【図５２】
0005630835.tif 000053
【図５３】
0005630835.tif 000054
【図５４】
0005630835.tif 000055
【図５５】
0005630835.tif 000056
【図５６】
0005630835.tif 000057
【図５７】
0005630835.tif 000058
【図５８】
0005630835.tif 000059
【図５９】
0005630835.tif 000060
【図６０】
0005630835.tif 000061
【図６１】
0005630835.tif 000062
【図６２】
0005630835.tif 000063
【図６３】
0005630835.tif 000064
【図６４】
0005630835.tif 000065
【図６５】
0005630835.tif 000066
【図６６】
0005630835.tif 000067
【図６７】
0005630835.tif 000068